(57)【要約】本発明は、空間仕切り装置に関する。本発明は、長さ方向に長く形成されて、互いに平行の一対の壁体の対向する面にその両端が隣接するように位置するカーテンウォールと、前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、前記ピニオンの回転のための駆動力を供給する駆動手段と、前記ピニオンが互いに異なる方向に回転しつつ、前記ラックに沿って移動可能になるように前記駆動手段の駆動力をピニオンに伝達する駆動力伝達手段と、前記カーテンウォールの下端に設けられ、前記ピニオンが前記ラックに沿って移動する過程でカーテンウォールを移動可能に支持する少なくとも１つの支持ローラとを備えて構成される。
2009523936.tif 000002
【特許請求の範囲】
【請求項１】
長さ方向に長く形成され、互いに平行の一対の壁体の対向する面にその両端が隣接するように位置するカーテンウォールと、
前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、
前記ピニオンの回転のための駆動力を供給する駆動手段と、
前記ピニオンが互いに異なる方向に回転しつつ、前記ラックに沿って移動可能になるように前記駆動手段の駆動力をピニオンに伝達する駆動力伝達手段と、
前記カーテンウォールの下端に設けられ、前記ピニオンが前記ラックに沿って移動する過程でカーテンウォールを移動可能に支持する少なくとも１つの支持ローラと、
を備えることを特徴とする空間仕切り装置。
【請求項２】
前記ピニオンは、前記カーテンウォールの長さ方向の両端部に上下に長く回転可能に設置される一対の回転軸の上下端にそれぞれ設けられ、前記壁体の対向する面の上下端にそれぞれ長さ方向に長くそれぞれ設けられる前記ラックに沿って移動することを特徴とする請求項１に記載の空間仕切り装置。
【請求項３】
前記駆動力伝達手段は、
前記駆動手段の駆動力を伝達されて、互いに反対方向に回転する一対のギアと、
前記ギアの回転力をそれぞれ伝達されて、前記ギアと同一の方向にそれぞれ回転する一対の駆動プーリと、
前記回転軸にそれぞれ設けられ、前記駆動プーリにそれぞれベルトを介して連結されることによって、駆動プーリと同一の方向にそれぞれ回転する一対の従動プーリと、を備えることを特徴とする請求項２に記載の空間仕切り装置。
【請求項４】
前記駆動力伝達手段は、
前記駆動手段の駆動力を伝達されて、互いに反対方向に回転する一対のギアと、
前記ギアの回転力をそれぞれ伝達されて、前記ギアと同一の方向にそれぞれ回転する一対の駆動ベルトギアと、
前記回転軸にそれぞれ設けられ、前記駆動ベルトギアにそれぞれチェーンを介して連結されることによって、駆動ベルトギアと同一の方向にそれぞれ回転する一対の従動ベルトギアと、を備えることを特徴とする請求項２に記載の空間仕切り装置。
【請求項５】
前記ギアは、
前記駆動手段の駆動力を直接伝達されて、所定の方向に回転する第１のギアと、
前記第１のギアに噛合され、前記第１のギアと反対方向に回転する第２のギアと、を備えることを特徴とする請求項３または４に記載の空間仕切り装置。
【請求項６】
前記駆動手段は、前記第１のギアが結合される駆動軸が設けられる駆動モータであることを特徴とする請求項５に記載の空間仕切り装置。
【請求項７】
前記駆動手段は、
前記カーテンウォールの一側に設けられ、ユーザが手で回転させるレバーと、
前記レバーの回転によって回転し、前記第１のギアに回転力を伝達する一対のべベルギアであることを特徴とする請求項５に記載の空間仕切り装置。
【請求項８】
長さ方向に長く形成され、互いに平行の一対の壁体の対向する面にその両端が隣接するように位置するカーテンウォールと、
前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、
前記カーテンウォールの下端に設けられ、前記ピニオンが前記ラックに沿って移動する過程でカーテンウォールを移動可能に支持する少なくとも１つの支持ローラとを備え、
前記カーテンウォールが前記壁体の長さ方向に押圧されれば、前記ピニオンがラックに沿って移動しつつ、カーテンウォールが移動し、壁体によって形成される空間を可変的に仕切ることを特徴とする空間仕切り装置。
【請求項９】
長さ方向に長く形成され、互いに平行の一対の壁体の対向する面にその両端が隣接するように位置するカーテンウォールと、
前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、
前記カーテンウォールの下端に設けられ、前記ピニオンが前記ラックに沿って移動する過程でカーテンウォールを移動可能に支持する少なくとも１つの支持ローラと、
前記壁体の対向する面に前記カーテンウォールの長さ方向に直交する方向に長く設けられる一対のレールと、
前記レールに沿って移動する一対の移動ローラーアセンブリと、
前記カーテンウォールと前記移動ローラーアセンブリを互いに固定または分離させるか、またはいずれか一方に対して他方が回動可能になるように連結する連結手段と、を備え、
前記カーテンウォールを前記壁体の長さ方向に押圧すれば、前記ピニオンがラックに沿って移動しつつ、カーテンウォールが移動し、壁体によって形成される空間を可変的に仕切ることを特徴とする空間仕切り装置。
【請求項１０】
前記レールは、対向する一面に前記カーテンウォールの長さ方向に開口される開口部が形成され、
前記ラックは、前記開口部と同一の高さに該当する前記レールの内部に設けられることを特徴とする請求項９に記載の空間仕切り装置。
【請求項１１】
前記移動ローラーアセンブリは、
前記連結手段によって前記カーテンウォールの両端部のうち一端部に連結される一対の回転軸と、
前記回転軸を連結する少なくとも１つの連結バーと、
前記回転軸の上下端にそれぞれ設置され、前記レールに沿って移動可能に支持される４つの移動ローラと、を備えることを特徴とする請求項１０に記載の空間仕切り装置。
【請求項１２】
前記連結手段は、
前記カーテンウォールの両端部にそれぞれ設けられ、上下に開口されるヒンジホールがそれぞれ形成される一対のヒンジブラケットと、
前記回転軸の外周面の一側にそれぞれ設けられ、前記ヒンジブラケットのヒンジホールとそれぞれ連通するように上下に開口される連結孔がそれぞれ形成される一対の連結ブラケットと、
前記ヒンジホールと連結孔を順にそれぞれ貫通し、ヒンジブラケットと連結ブラケットの両端部を選択的に連結する一対の連結ピンと、を備え、
前記連結ピンによって前記ヒンジブラケットと連結ブラケッの両端部の両方または両端部のいずれか一方の端部が選択的に連結されることによって、前記カーテンウォールと移動ローラーアセンブリが固定または分離されるか、またはいずれか一方に対して他方が回動することを特徴とする請求項１１に記載の空間仕切り装置。
【請求項１３】
前記カーテンウォールの移動に連動して移動しつつ、前記レールの開口部を遮蔽する遮蔽手段をさらに備えることを特徴とする請求項１２に記載の空間仕切り装置。
【請求項１４】
前記遮蔽手段は、
前記レールの両端部に回転可能に設置される一対のプーリと、
前記プーリに係止された状態でその両端が前記連結ブラケットの一側にそれぞれ固定される遮蔽ベルトを備えることを特徴とする請求項１３に記載の空間仕切り装置。
【請求項１５】
前記レールの開口部の上下端には、前記遮蔽ベルトのレールの開口部を遮蔽する部分の上下端部がそれぞれ挿入されてスライドするガイドスロットがそれぞれ設けられ、
前記レールの内部には、前記遮蔽ベルトの残りの部分が挿入されてスライドする装着スロットが設けられることを特徴とする請求項１４に記載の空間仕切り装置。
【請求項１６】
前記遮蔽手段は、
前記レールの両端部に隣接する前記壁体に回転可能に設置される一対のロールと、
前記ロールに一端部がそれぞれ固定された状態で他端部が前記カーテンウォールの両端部にそれぞれ固定され、ロールの外周面に巻き取られる一対の遮蔽スクリーンと、
前記遮蔽スクリーンが巻き取られる方向に回転するように前記ロールに弾性力を付与する弾性部材と、を備えることを特徴とする請求項１３に記載の空間仕切り装置。
【請求項１７】
前記遮蔽スクリーンは、前記レールを含む前記壁体の一面を遮蔽することを特徴とする請求項１６に記載の空間仕切り装置。
【請求項１８】
長さ方向に長く形成され、互いに平行の一対の壁体の対向する面にその両端が隣接するように位置し、回動軸が設けられるカーテンウォールと、
前記回動軸にその一端が互いに反対方向に所定の長さだけ巻き取られた状態で他端が前記壁体の対向する面の両端部にそれぞれ固定される少なくとも一対のワイヤと、
前記回動軸の回転のための駆動力を供給する駆動手段と、を備え、
前記駆動手段から供給された駆動力によって前記回動軸が回転すれば、前記ワイヤのうちいずれか１つは、前記回動軸に巻き取られ、前記ワイヤのうち他の１つは、前記回動軸に巻き取れた状態から解かれることによって、前記カーテンウォールが前記壁体の長さ方向に移動することを特徴とする空間仕切り装置。
【請求項１９】
長さ方向に長く形成され、互いに平行の一対の壁体の対向する面にその両端が隣接するように位置し、回動軸が設けられるカーテンウォールと、
前記回動軸にその一端が互いに反対方向に所定の長さだけ巻き取られた状態で他端が前記壁体の対向する面の両端部にそれぞれ固定される少なくとも一対のワイヤと、を備え、
前記カーテンウォールが前記壁体の長さ方向に押圧されれば、前記ワイヤのうちいずれか１つは、前記回動軸に巻き取られ、前記ワイヤのうち他の１つは、前記回動軸に巻き取れた状態から解かれることによって、前記カーテンウォールが前記壁体の長さ方向に移動することを特徴とする空間仕切り装置。
【請求項２０】
前記回動軸は、前記カーテンウォールの内部に水平に回動可能に設置され、
前記カーテンウォールの内部には、前記ワイヤを支持するための複数のプーリが設けられることを特徴とする請求項１８または１９に記載の空間仕切り装置。
【請求項２１】
前記回動軸の外周面には、前記回動軸に巻き取られる前記ワイヤが互いに干渉することを防止するための複数の仕切りフランジが設けられることを特徴とする請求項２０に記載の空間仕切り装置。
【請求項２２】
長さ方向に長く形成され、互いに平行の一対の壁体の対向する面にその両端が隣接するように位置し、その外周面に少なくとも一対のスプロケットが設けられる回動軸が回転可能に設置されるカーテンウォールと、
前記回動軸のスプロケットにその一端が互いに反対方向に所定の長さだけそれぞれ巻き取られた状態で他端が前記壁体の対向する面の両端部にそれぞれ固定される少なくとも一対のチェーンと、
前記回動軸の回転のための駆動力を供給する駆動手段と、を備え、
前記駆動手段から供給された駆動力によって前記回動軸が回転すれば、前記チェーンのうちいずれか１つは、前記回動軸の一方のスプロケットに巻き取られ、前記チェーンのうち他の１つは、前記回動軸の他方のスプロケットに巻き取れた状態から解かれることによって、前記カーテンウォールが前記壁体の長さ方向に移動することを特徴とする空間仕切り装置。
【請求項２３】
前記駆動手段は、前記カーテンウォールの内部に設けられ、前記回動軸を正方向または逆方向に回動させる駆動モータであることを特徴とする請求項２２に記載の空間仕切り装置。
【請求項２４】
前記駆動手段は、
前記カーテンウォールを移動可能に支持する少なくとも１つの支持ローラと、
前記カーテンウォールの移動による前記支持ローラの回転力を前記回動軸に伝達する駆動力伝達手段とを備えることを特徴とする請求項２２に記載の空間仕切り装置。
【請求項２５】
前記駆動力伝達手段は、前記支持ローラの回転軸と前記回動軸とを連結するベルトであることを特徴とする請求項２４に記載の空間仕切り装置。
【請求項２６】
前記駆動力伝達手段は、
前記支持ローラの回転軸の両端にそれぞれ設けられる駆動ギアと、
前記回動軸の両端にそれぞれ設けられる従動ギアと、
前記駆動ギア及び前記従動ギアに噛合されるチェーンと、を備えることを特徴とする請求項２４に記載の空間仕切り装置。
【請求項２７】
長さ方向に長く形成され、互いに平行の一対の壁体の対向する面にその両端が隣接するように位置し、その外周面に少なくとも一対のスプロケットが設けられる回動軸が回転可能に設置されるカーテンウォールと、
前記回動軸のスプロケットにその一端が互いに反対方向に所定の長さだけそれぞれ巻き取られた状態で他端が前記壁体の対向する面の両端部にそれぞれ固定される少なくとも一対のチェーンと、を備え、
前記カーテンウォールが前記壁体の長さ方向に押圧されれば、前記チェーンのうちいずれか１つは、前記回動軸の一方のスプロケットに巻き取られ、前記チェーンのうち他の１つは、前記回動軸の他方のスプロケットに巻き取れた状態から解かれることによって、前記カーテンウォールが前記壁体の長さ方向に移動することを特徴とする空間仕切り装置。
【請求項２８】
前記回動軸は、前記カーテンウォールの内部に水平に回動可能に設置され、
前記カーテンウォールの内部には、前記チェーンを支持するための複数のギアが設けられることを特徴とする請求項２２または２７に記載の空間仕切り装置。
【請求項２９】
前記カーテンウォールの一側には、その長さ方向に直交する方向に開口部が形成されることを特徴とする請求項１、８、９、１８、１９、２２及び２７のいずれかに記載の空間仕切り装置。
【請求項３０】
長さ方向に長く形成される壁体の一面にその一端部が隣接するように位置するカーテンウォールアセンブリと、
前記カーテンウォールアセンブリを前記壁体の一面に隣接するその一端部を中心にして回動させる第１回動手段と、を備え、
前記第１回動手段によって回動する前記カーテンウォールアセンブリによって前記壁体に隣接する空間が選択的に仕切られることを特徴とする空間仕切り装置。
【請求項３１】
前記第１回動手段は、
前記カーテンウォールアセンブリを前記壁体に回動可能に支持する第１のヒンジピンと、
前記壁体に設けられ、駆動力を供給する第１の駆動モータと、
前記第１の駆動モータの駆動軸に設けられる第１のギアと、
前記カーテンウォールアセンブリの端部に設けられ、前記ギアに噛合される第１セクターギアと、を備え、
前記第１の駆動モータの駆動によって前記第１のギアが回転すれば、前記第１のギアに噛合された前記第１セクターギアが移動し、前記カーテンウォールアセンブリが前記第１のヒンジピンを中心にして回動することを特徴とする請求項３０に記載の空間仕切り装置。
【請求項３２】
前記駆動モータは、前記壁体に設けられる作動空間の内部に設けられることを特徴とする請求項３１に記載の空間仕切り装置。
【請求項３３】
前記カーテンウォールアセンブリは、
所定の長さを有する複数のカーテンウォールと、
前記カーテンウォールの一面が前記カーテンウォールの他面に隣接するように、２つの隣接する前記カーテンウォールのうち１つをその一端部を中心にして回動させる少なくとも１つの第２の回動手段と、を備え、
前記カーテンウォールのうちいずれか１つは、前記第２の回動手段によってその一端部を中心にしてその一面が接する前記カーテンウォールのうち他の１つの一面に隣接するように回動することによって、前記カーテンウォールアセンブリが折り畳み式で重ねられることを特徴とする請求項３０乃至３２のいずれかに記載の空間仕切り装置。
【請求項３４】
前記第２の回動手段は、
互いに隣接する前記カーテンウォールのうちいずれか１つを他の１つに回動可能に支持する第２のヒンジピンと、
互いに隣接する前記カーテンウォールのうちいずれか１つの一端部に設けられ、駆動力を供給する第２の駆動モータと、
前記第２の駆動モータの駆動軸に設けられる第２のギアと、
互いに隣接する前記カーテンウォールのうち他の１つの一端部に設けられ、前記第２のギアに噛合される第２セクターギアと、を備え、
前記第２の駆動モータの駆動によって前記第２のギアが回転すれば、前記第２のギアに噛合された前記第２セクターギアが移動し、互いに隣接する前記カーテンウォールのうちいずれか１つが前記第２のヒンジピンを中心にして回動することを特徴とする請求項３３に記載の空間仕切り装置。
【請求項３５】
長さ方向に長く形成され、互いに平行の一対の壁体の対向する面にその両端が隣接するように位置するカーテンウォールアセンブリと、
前記カーテンウォールの長さ方向の両端部に設けられ、前記壁体の対向する面にカーテンウォールアセンブリの長さ方向に直交する方向に長く設けられるレールに沿って移動可能に噛合される少なくとも一対の移動ローラーアセンブリと、
前記カーテンウォールアセンブリの下端に設けられ、前記移動ローラーアセンブリが前記レールに沿って移動する過程でカーテンウォールアセンブリを移動可能に支持する少なくとも１つの支持ローラと、を備え、
前記カーテンウォールアセンブリが前記壁体の長さ方向に押圧されれば、前記移動ローラーアセンブリが前記レールに沿って移動しつつ、カーテンウォールアセンブリによって壁体の間に形成される空間が可変的に仕切られることを特徴とする空間仕切り装置。
【請求項３６】
前記カーテンウォールアセンブリは、
長さ方向に長く形成される第１及び第２のカーテンウォールと、
隣接する前記第１のカーテンウォールの長さ方向の一端部と前記第２のカーテンウォールの長さ方向の一端部が互いに固定または分離されるか、またはいずれか一方に対して他方が回動可能に連結されるようにする第１の連結手段と、を備えることを特徴とする請求項３５に記載の空間仕切り装置。
【請求項３７】
前記第１の連結手段は、
前記第１のカーテンウォールの長さ方向の一端部にその一面が設けられる板状で形成され、前記カーテンウォールアセンブリの移動方向の両端部に上下に長く第１のヒンジ口がそれぞれ形成される第１のヒンジプレートと、
前記第１のカーテンウォールの長さ方向の一端部に隣接する前記第２のカーテンウォールの長さ方向の一端部に設けられる板状で形成され、前記カーテンウォールアセンブリの移動方向の両端部に前記第１のヒンジ口と連通するように上下に長く第２のヒンジ口がそれぞれ形成される第２のヒンジプレートと、
前記第１及び第２のヒンジプレートの両端部に形成される前記第１のヒンジ口と前記第２のヒンジ口を順に貫通し、前記第１のヒンジプレートと前記第２のヒンジプレートの両端部を選択的に連結する一対のヒンジピンと、を備え、
前記ヒンジピンによって前記第１及び第２のヒンジプレートの両端部の両方または両端部のうちいずれか一端部が選択的に連結されることによって、前記第１のカーテンウォールと第２のカーテンウォールが互いに固定または分離されるか、またはいずれか一方に対して他方が回動することを特徴とする請求項３６に記載の空間仕切り装置。
【請求項３８】
前記移動ローラーアセンブリは、
前記壁体の対向する面の上下端にそれぞれその長さ方向に長く設けられる前記レールの内部に設置されるローラブラケットと、
前記ローラブラケットの一側に設けられ、前記レールに沿って移動可能に支持される移動ローラと、を備えることを特徴とする請求項３７に記載の空間仕切り装置。
【請求項３９】
前記第１及び第２のカーテンウォールと前記移動ローラーアセンブリが互いに固定または分離されるか、またはいずれか一方に対して他方が回動可能に連結されるようにする第２の連結手段をさらに備えることを特徴とする請求項３８に記載の空間仕切り装置。
【請求項４０】
前記第２の連結手段は、
前記第１及び第２のヒンジプレートの反対側に該当する前記第１及び第２のカーテンウォールの長さ方向の他端部にそれぞれ設けられ、前記カーテンウォールアセンブリの移動方向の両端部に上下に開口されるヒンジホールが形成されるヒンジブラケットと、
前記ローラブラケットの一面に設けられ、前記カーテンウォールアセンブリの移動方向の両端部に前記ヒンジブラケットのヒンジホールとそれぞれ連通するように上下に開口される一対の連結孔がその一面に形成される連結ブラケットと、
前記ヒンジブラケットと連結ブラケットの両端部に形成される前記ヒンジホールと連結孔を順に貫通して、ヒンジブラケットとローラブラケットの両端部を選択的に連結する一対の連結ピンと、を備え、
前記連結ピンによって前記ヒンジブラケットと連結ブラケットの両端部の両方または両端部のうちいずれか一端部が選択的に連結されることによって、前記第１のカーテンウォールまたは第２のカーテンウォールと前記移動ローラーアセンブリが固定または分離されるか、またはいずれか一方に対して他方が回動することを特徴とする請求項３９に記載の空間仕切り装置。
【請求項４１】
前記レールに沿って移動する前記移動ローラを所定の位置に選択的に固定させるための固定手段をさらに備えることを特徴とする請求項４０に記載の空間仕切り装置。
【請求項４２】
前記固定手段は、
前記レールの一側にその長さ方向に所定の間隔だけ離隔するようにそれぞれ形成される複数の固定ホールと、
前記移動ローラーアセンブリの一側に形成される少なくとも１つの貫通孔と、
前記固定ホール及び貫通孔のうち１つを貫通し、前記移動ローラーアセンブリの移動を制限する固定ピンと、を備えることを特徴とする請求項４１に記載の空間仕切り装置。
【請求項４３】
前記壁体の間に前記カーテンウォールアセンブリから壁体の長さ方向に所定の距離だけ離隔するように位置し、長さ方向に長く形成される第３及び第４のカーテンウォールに隣接する前記第３のカーテンウォールの長さ方向の一端部と前記第４のカーテンウォールの長さ方向の一端部が互いに固定または分離されるか、またはいずれか一方に対して他方が回動可能に連結されるようにする第３の連結手段を備える第２のカーテンウォールアセンブリと、
前記第３及び第４のカーテンウォールの長さ方向の両端部に設けられ、前記壁体の対向する面にカーテンウォールアセンブリの長さ方向に直交する方向に長く設けられるレールに沿って移動可能に噛合される少なくとも一対の第２の移動ローラーアセンブリと、
前記第３及び第４のカーテンウォールと前記第２の移動ローラーアセンブリがそれぞれ互いに固定または分離されるか、いずれか一方に対して他方が回動可能に連結されるようにする第２の連結手段と、
前記第３のカーテンウォール及び第４のカーテンウォールの下端にそれぞれ設けられ、前記第２ローラーアセンブリが前記レールに沿って移動する過程で前記第２のカーテンウォールアセンブリを移動可能に支持する少なくとも１つの支持ローラと、をさらに備え、
前記第１及び第２のカーテンウォールと移動ローラーアセンブリ、前記第３及び第４のカーテンウォールと第２の移動ローラーアセンブリが互いに固定または分離されるか、またはいずれか一方に対して他方が回動可能に連結された状態で前記壁体の長さ方向に移動または回動することによって、前記壁体の間に形成される空間のうち一部が別途の空間として仕切られることを特徴とする請求項４２に記載の空間仕切り装置。
【請求項４４】
前記カーテンウォールアセンブリの一側には、その長さ方向に直交する方向に開口部が形成されることを特徴とする請求項３０または３５に記載の空間仕切り装置。
【発明の詳細な説明】
【技術分野】
【０００１】
本発明は、空間仕切り装置に関し、より詳しくは、互いに平行の壁に沿って移動し、空間を自由に仕切ることができる空間仕切り装置に関する。
【背景技術】
【０００２】
一般に、カーテンウォールというのは、荷重を支持せずに、ただ空間を仕切る非耐力壁を意味する。このようなカーテンウォールは、耐力壁または／及び非耐力壁の間に固定され、建築物の内部に設けられる空間を仕切る役目をする。しかし、このような従来のカーテンウォールは、その位置が固定されるので、建築物の内部に設けられる空間を可変的に仕切ることができず、自由な空間の分割が不可能になる問題点が発生する。
【発明の開示】
【発明が解決しようとする課題】
【０００３】
本発明は、前述したような従来の問題点を解決するためになされたもので、その目的は、建築物の内部に設けられる空間を自由に仕切ることができるように構成される空間仕切り装置を提供することにある。
【課題を解決するための手段】
【０００４】
上記目的を達成するために、本発明の一つの特徴は、本発明は長さ方向に長く形成され、互いに平行の一対の壁体の対向する面にその両端が隣接するように位置するカーテンウォールと、前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、前記ピニオンの回転のための駆動力を供給する駆動手段と、前記ピニオンが互いに異なる方向に回転しつつ、前記ラックに沿って移動可能になるように前記駆動手段の駆動力をピニオンに伝達する駆動力伝達手段と、前記カーテンウォールの下端に設けられ、前記ピニオンが前記ラックに沿って移動する過程でカーテンウォールを移動可能に支持する少なくとも１つの支持ローラと、を備える。
【０００５】
また、前記ピニオンは、前記カーテンウォールの長さ方向の両端部に上下に長く回転可能に設置される一対の回転軸の上下端にそれぞれ設けられ、前記壁体の対向する面の上下端にそれぞれ長さ方向に長くそれぞれ設けられる前記ラックに沿って移動することを特徴とする。
【０００６】
本発明による一実施例では、前記駆動力伝達手段は、前記駆動手段の駆動力を伝達されて、互いに反対方向に回転する一対のギアと、前記ギアの回転力をそれぞれ伝達されて、前記ギアと同一の方向にそれぞれ回転する一対の駆動プーリと、前記回転軸にそれぞれ設けられ、前記駆動プーリにそれぞれベルトを介して連結されることによって、駆動プーリと同一の方向にそれぞれ回転する一対の従動プーリと、を備えることを特徴とする。
【０００７】
本発明の他の実施例では、前記駆動力伝達手段は、前記駆動手段の駆動力を伝達されて、互いに反対方向に回転する一対のギアと、前記ギアの回転力をそれぞれ伝達されて、前記ギアと同一の方向にそれぞれ回転する一対の駆動ベルトギアと、前記回転軸にそれぞれ設けられ、前記駆動ベルトギアにそれぞれチェーンを介して連結されることによって、駆動ベルトギアと同一の方向にそれぞれ回転する一対の従動ベルトギアと、を備えることを特徴とする。
また、前記ギアは、前記駆動手段の駆動力を直接伝達されて、所定の方向に回転する第１のギアと、前記第１のギアに噛合され、前記第１のギアと反対方向に回転する第２のギアと、を備えることを特徴とする。
【０００８】
また、前記駆動手段は、前記第１のギアが結合される駆動軸が設けられる駆動モータであることを特徴とする。
また、前記駆動手段は、前記カーテンウォールの一側に設けられ、ユーザが手で回転させるレバーと、前記レバーの回転によって回転し、前記第１のギアに回転力を伝達する一対のべベルギアであることを特徴とする。
【０００９】
本発明の他の特徴によれば、長さ方向に長く形成され、互いに平行の一対の壁体の対向する面にその両端が隣接するように位置するカーテンウォールと、前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、前記カーテンウォールの下端に設けられ、前記ピニオンが前記ラックに沿って移動する過程でカーテンウォールを移動可能に支持する少なくとも１つの支持ローラとを備え、前記カーテンウォールが前記壁体の長さ方向に押圧されれば、前記ピニオンがラックに沿って移動しつつ、カーテンウォールが移動し、壁体によって形成される空間を可変的に仕切ることを特徴とする。
【００１０】
本発明の他の特徴によれば、長さ方向に長く形成され、互いに平行の一対の壁体の対向する面にその両端が隣接するように位置するカーテンウォールと、前記カーテンウォールの長さ方向の両端部に設けられ、前記壁体の対向する面にカーテンウォールの長さ方向に直交する方向に長く設けられるラックに沿って移動可能に噛み合う少なくとも一対のピニオンと、前記カーテンウォールの下端に設けられ、前記ピニオンが前記ラックに沿って移動する過程でカーテンウォールを移動可能に支持する少なくとも１つの支持ローラと、前記壁体の対向する面に前記カーテンウォールの長さ方向に直交する方向に長く設けられる一対のレールと、前記レールに沿って移動する一対の移動ローラーアセンブリと、前記カーテンウォールと前記移動ローラーアセンブリを互いに固定または分離させるか、またはいずれか一方に対して他方が回動可能になるように連結する連結手段と、を備え、前記カーテンウォールを前記壁体の長さ方向に押圧すれば、前記ピニオンがラックに沿って移動しつつ、カーテンウォールが移動し、壁体によって形成される空間を可変的に仕切ることを特徴とする。
【００１１】
また、前記レールは、対向する一面に前記カーテンウォールの長さ方向に開口される開口部が形成され、前記ラックは、前記開口部と同一の高さに該当する前記レールの内部に設けられることを特徴とする。
【００１２】
また、前記移動ローラーアセンブリは、前記連結手段によって前記カーテンウォールの両端部のうち一端部に連結される一対の回転軸と、前記回転軸を連結する少なくとも１つの連結バーと、前記回転軸の上下端にそれぞれ設置され、前記レールに沿って移動可能に支持される４つの移動ローラと、を備えることを特徴する。
【００１３】
また、前記連結手段は、前記カーテンウォールの両端部にそれぞれ設けられ、上下に開口されるヒンジホールがそれぞれ形成される一対のヒンジブラケットと、前記回転軸の外周面の一側にそれぞれ設けられ、前記ヒンジブラケットのヒンジホールとそれぞれ連通するように上下に開口される連結孔がそれぞれ形成される一対の連結ブラケットと、前記ヒンジホールと連結孔を順にそれぞれ貫通し、ヒンジブラケットと連結ブラケッの両端部を選択的に連結する一対の連結ピンと、を備え、前記連結ピンによって前記ヒンジブラケットと連結ブラケッの両端部の両方または両端部のいずれか一方の端部が選択的に連結されることによって、前記カーテンウォールと移動ローラーアセンブリが固定または分離されるか、またはいずれか一方に対して他方が回動することを特徴とする。
また、前記カーテンウォールの移動に連動して移動しつつ、前記レールの開口部を遮蔽する遮蔽手段をさらに備えることを特徴とする。
【００１４】
また、前記遮蔽手段は、前記レールの両端部に回転可能に設置される一対のプーリと、前記プーリに係止された状態でその両端が前記連結ブラケットの一側にそれぞれ固定される遮蔽ベルトを備えることを特徴とする。
【００１５】
また、前記レールの開口部の上下端には、前記遮蔽ベルトのレールの開口部を遮蔽する部分の上下端部がそれぞれ挿入されてスライドするガイドスロットがそれぞれ設けられ、前記レールの内部には、前記遮蔽ベルトの残りの部分が挿入されてスライドする装着スロットが設けられることを特徴とする。
【００１６】
本発明の他の実施例では、前記遮蔽手段は、前記レールの両端部に隣接する前記壁体に回転可能に設置される一対のロールと、前記ロールに一端部がそれぞれ固定された状態で他端部が前記カーテンウォールの両端部にそれぞれ固定され、ロールの外周面に巻き取られる一対の遮蔽スクリーンと、前記遮蔽スクリーンが巻き取られる方向に回転するように前記ロールに弾性力を付与する弾性部材と、を備えることを特徴とする。
【００１７】
また、前記遮蔽スクリーンは、前記レールを含む前記壁体の一面を遮蔽することを特徴とする。
【００１８】
本発明の他の特徴によれば、長さ方向に長く形成され、互いに平行の一対の壁体の対向する面にその両端が隣接するように位置し、回動軸が設けられるカーテンウォールと、前記回動軸にその一端が互いに反対方向に所定の長さだけ巻き取られた状態で他端が前記壁体の対向する面の両端部にそれぞれ固定される少なくとも一対のワイヤと、前記回動軸の回転のための駆動力を供給する駆動手段と、を備え、前記駆動手段から供給された駆動力によって前記回動軸が回転すれば、前記ワイヤのうちいずれか１つは、前記回動軸に巻き取られ、前記ワイヤのうち他の１つは、前記回動軸に巻き取れた状態から解かれることによって、前記カーテンウォールが前記壁体の長さ方向に移動することを特徴とする。
【００１９】
本発明の他の特徴によれば、長さ方向に長く形成され、互いに平行の一対の壁体の対向する面にその両端が隣接するように位置し、回動軸が設けられるカーテンウォールと、前記回動軸にその一端が互いに反対方向に所定の長さだけ巻き取られた状態で他端が前記壁体の対向する面の両端部にそれぞれ固定される少なくとも一対のワイヤと、を備え、前記カーテンウォールが前記壁体の長さ方向に押圧されれば、前記ワイヤのうちいずれか１つは、前記回動軸に巻き取られ、前記ワイヤのうち他の１つは、前記回動軸に巻き取れた状態から解かれることによって、前記カーテンウォールが前記壁体の長さ方向に移動することを特徴とする。
また、前記回動軸は、前記カーテンウォールの内部に水平に回動可能に設置され、前記カーテンウォールの内部には、前記ワイヤを支持するための複数のプーリが設けられることを特徴とする。
【００２０】
また、前記回動軸の外周面には、前記回動軸に巻き取られる前記ワイヤが互いに干渉することを防止するための複数の仕切りフランジが設けられることを特徴とする。
【００２１】
本発明の他の特徴によれば、長さ方向に長く形成され、互いに平行の一対の壁体の対向する面にその両端が隣接するように位置し、その外周面に少なくとも一対のスプロケットが設けられる回動軸が回転可能に設置されるカーテンウォールと、前記回動軸のスプロケットにその一端が互いに反対方向に所定の長さだけそれぞれ巻き取られた状態で他端が前記壁体の対向する面の両端部にそれぞれ固定される少なくとも一対のチェーンと、前記回動軸の回転のための駆動力を供給する駆動手段と、を備え、前記駆動手段から供給された駆動力によって前記回動軸が回転すれば、前記チェーンのうちいずれか１つは、前記回動軸の一方のスプロケットに巻き取られ、前記チェーンのうち他の１つは、前記回動軸の他方のスプロケットに巻き取れた状態から解かれることによって、前記カーテンウォールが前記壁体の長さ方向に移動することを特徴とする。
また、前記駆動手段は、前記カーテンウォールの内部に設けられ、前記回動軸を正方向または逆方向に回動させる駆動モータであることを特徴とする。
【００２２】
また、前記駆動手段は、前記カーテンウォールを移動可能に支持する少なくとも１つの支持ローラと、前記カーテンウォールの移動による前記支持ローラの回転力を前記回動軸に伝達する駆動力伝達手段とを備えることを特徴とする。
【００２３】
また、前記駆動力伝達手段は、前記支持ローラの回転軸と前記回動軸とを連結するベルトであることを特徴とする。
【００２４】
また、前記駆動力伝達手段は、前記支持ローラの回転軸の両端にそれぞれ設けられる駆動ギアと、前記回動軸の両端にそれぞれ設けられる従動ギアと、前記駆動ギア及び前記従動ギアに噛合されるチェーンと、を備えることを特徴とする。
【００２５】
本発明の他の特徴によれば、長さ方向に長く形成され、互いに平行の一対の壁体の対向する面にその両端が隣接するように位置し、その外周面に少なくとも一対のスプロケットが設けられる回動軸が回転可能に設置されるカーテンウォールと、前記回動軸のスプロケットにその一端が互いに反対方向に所定の長さだけそれぞれ巻き取られた状態で他端が前記壁体の対向する面の両端部にそれぞれ固定される少なくとも一対のチェーンと、を備え、前記カーテンウォールが前記壁体の長さ方向に押圧されれば、前記チェーンのうちいずれか１つは、前記回動軸の一方のスプロケットに巻き取られ、前記チェーンのうち他の１つは、前記回動軸の他方のスプロケットに巻き取れた状態から解かれることによって、前記カーテンウォールが前記壁体の長さ方向に移動することを特徴とする空間仕切り装置。
【００２６】
また、前記回動軸は、前記カーテンウォールの内部に水平に回動可能に設置され、前記カーテンウォールの内部には、前記チェーンを支持するための複数のギアが設けられることを特徴とする。
【００２７】
また、前記カーテンウォールの一側には、その長さ方向に直交する方向に開口部が形成されることを特徴とする。
【００２８】
本発明の他の特徴によれば、長さ方向に長く形成される壁体の一面にその一端部が隣接するように位置するカーテンウォールアセンブリと、前記カーテンウォールアセンブリを前記壁体の一面に隣接するその一端部を中心にして回動させる第１回動手段と、を備え、前記第１回動手段によって回動する前記カーテンウォールアセンブリによって前記壁体に隣接する空間が選択的に仕切られることを特徴とする。
【００２９】
また、前記第１回動手段は、前記カーテンウォールアセンブリを前記壁体に回動可能に支持する第１のヒンジピンと、前記壁体に設けられ、駆動力を供給する第１の駆動モータと、前記第１の駆動モータの駆動軸に設けられる第１のギアと、前記カーテンウォールアセンブリの端部に設けられ、前記ギアに噛合される第１セクターギアと、を備え、前記第１の駆動モータの駆動によって前記第１のギアが回転すれば、前記第１のギアに噛合された前記第１セクターギアが移動し、前記カーテンウォールアセンブリが前記第１のヒンジピンを中心にして回動することを特徴とする。
【００３０】
また、前記駆動モータは、前記壁体に設けられる作動空間の内部に設けられることを特徴とする。
【００３１】
また、前記カーテンウォールアセンブリは、所定の長さを有する複数のカーテンウォールと、前記カーテンウォールの一面が前記カーテンウォールの他面に隣接するように、２つの隣接する前記カーテンウォールのうち１つをその一端部を中心にして回動させる少なくとも１つの第２の回動手段と、を備え、前記カーテンウォールのうちいずれか１つは、前記第２の回動手段によってその一端部を中心にしてその一面が接する前記カーテンウォールのうち他の１つの一面に隣接するように回動することによって、前記カーテンウォールアセンブリが折り畳み式で重ねられることを特徴とする。
【００３２】
また、前記第２の回動手段は、互いに隣接する前記カーテンウォールのうちいずれか１つを他の１つに回動可能に支持する第２のヒンジピンと、互いに隣接する前記カーテンウォールのうちいずれか１つの一端部に設けられ、駆動力を供給する第２の駆動モータと、前記第２の駆動モータの駆動軸に設けられる第２のギアと、互いに隣接する前記カーテンウォールのうち他の１つの一端部に設けられ、前記第２のギアに噛合される第２セクターギアと、を備え、前記第２の駆動モータの駆動によって前記第２のギアが回転すれば、前記第２のギアに噛合された前記第２セクターギアが移動し、互いに隣接する前記カーテンウォールのうちいずれか１つが前記第２のヒンジピンを中心にして回動することを特徴とする。
【００３３】
本発明の他の特徴によれば、長さ方向に長く形成され、互いに平行の一対の壁体の対向する面にその両端が隣接するように位置するカーテンウォールアセンブリと、前記カーテンウォールの長さ方向の両端部に設けられ、前記壁体の対向する面にカーテンウォールアセンブリの長さ方向に直交する方向に長く設けられるレールに沿って移動可能に噛合される少なくとも一対の移動ローラーアセンブリと、前記カーテンウォールアセンブリの下端に設けられ、前記移動ローラーアセンブリが前記レールに沿って移動する過程でカーテンウォールアセンブリを移動可能に支持する少なくとも１つの支持ローラと、を備え、前記カーテンウォールアセンブリが前記壁体の長さ方向に押圧されれば、前記移動ローラーアセンブリが前記レールに沿って移動しつつ、カーテンウォールアセンブリによって壁体の間に形成される空間が可変的に仕切られることを特徴とする。
【００３４】
また、前記カーテンウォールアセンブリは、長さ方向に長く形成される第１及び第２のカーテンウォールと、隣接する前記第１のカーテンウォールの長さ方向の一端部と前記第２のカーテンウォールの長さ方向の一端部が互いに固定または分離されるか、またはいずれか一方に対して他方が回動可能に連結されるようにする第１の連結手段と、を備えることを特徴とする。
【００３５】
また、前記第１の連結手段は、前記第１のカーテンウォールの長さ方向の一端部にその一面が設けられる板状で形成され、前記カーテンウォールアセンブリの移動方向の両端部に上下に長く第１のヒンジ口がそれぞれ形成される第１のヒンジプレートと、前記第１のカーテンウォールの長さ方向の一端部に隣接する前記第２のカーテンウォールの長さ方向の一端部に設けられる板状で形成され、前記カーテンウォールアセンブリの移動方向の両端部に前記第１のヒンジ口と連通するように上下に長く第２のヒンジ口がそれぞれ形成される第２のヒンジプレートと、前記第１及び第２のヒンジプレートの両端部に形成される前記第１のヒンジ口と前記第２のヒンジ口を順に貫通し、前記第１のヒンジプレートと前記第２のヒンジプレートの両端部を選択的に連結する一対のヒンジピンと、を備え、前記ヒンジピンによって前記第１及び第２のヒンジプレートの両端部の両方または両端部のうちいずれか一端部が選択的に連結されることによって、前記第１のカーテンウォールと第２のカーテンウォールが互いに固定または分離されるか、またはいずれか一方に対して他方が回動することを特徴とする。
【００３６】
また、前記移動ローラーアセンブリは、前記壁体の対向する面の上下端にそれぞれその長さ方向に長く設けられる前記レールの内部に設置されるローラブラケットと、前記ローラブラケットの一側に設けられ、前記レールに沿って移動可能に支持される移動ローラと、を備えることを特徴とする。
【００３７】
また、前記第１及び第２のカーテンウォールと前記移動ローラーアセンブリが互いに固定または分離されるか、またはいずれか一方に対して他方が回動可能に連結されるようにする第２の連結手段をさらに備えることを特徴とする。
【００３８】
また、前記第２の連結手段は、前記第１及び第２のヒンジプレートの反対側に該当する前記第１及び第２のカーテンウォールの長さ方向の他端部にそれぞれ設けられ、前記カーテンウォールアセンブリの移動方向の両端部に上下に開口されるヒンジホールが形成されるヒンジブラケットと、前記ローラブラケットの一面に設けられ、前記カーテンウォールアセンブリの移動方向の両端部に前記ヒンジブラケットのヒンジホールとそれぞれ連通するように上下に開口される一対の連結孔がその一面に形成される連結ブラケットと、前記ヒンジブラケットと連結ブラケットの両端部に形成される前記ヒンジホールと連結孔を順に貫通して、ヒンジブラケットとローラブラケットの両端部を選択的に連結する一対の連結ピンと、を備え、前記連結ピンによって前記ヒンジブラケットと連結ブラケットの両端部の両方または両端部のうちいずれか一端部が選択的に連結されることによって、前記第１のカーテンウォールまたは第２のカーテンウォールと前記移動ローラーアセンブリが固定または分離されるか、またはいずれか一方に対して他方が回動することを特徴とす。
【００３９】
また、前記レールに沿って移動する前記移動ローラを所定の位置に選択的に固定させるための固定手段をさらに備えることを特徴とする。
【００４０】
また、前記固定手段は、前記レールの一側にその長さ方向に所定の間隔だけ離隔するようにそれぞれ形成される複数の固定ホールと、前記移動ローラーアセンブリの一側に形成される少なくとも１つの貫通孔と、前記固定ホール及び貫通孔のうち１つを貫通し、前記移動ローラーアセンブリの移動を制限する固定ピンと、を備えることを特徴とする。
【００４１】
また、前記壁体の間に前記カーテンウォールアセンブリから壁体の長さ方向に所定の距離だけ離隔するように位置し、長さ方向に長く形成される第３及び第４のカーテンウォールに隣接する前記第３のカーテンウォールの長さ方向の一端部と前記第４のカーテンウォールの長さ方向の一端部が互いに固定または分離されるか、またはいずれか一方に対して他方が回動可能に連結されるようにする第３の連結手段を備える第２のカーテンウォールアセンブリと、前記第３及び第４のカーテンウォールの長さ方向の両端部に設けられ、前記壁体の対向する面にカーテンウォールアセンブリの長さ方向に直交する方向に長く設けられるレールに沿って移動可能に噛合される少なくとも一対の第２の移動ローラーアセンブリと、前記第３及び第４のカーテンウォールと前記第２の移動ローラーアセンブリがそれぞれ互いに固定または分離されるか、いずれか一方に対して他方が回動可能に連結されるようにする第２の連結手段と、前記第３のカーテンウォール及び第４のカーテンウォールの下端にそれぞれ設けられ、前記第２ローラーアセンブリが前記レールに沿って移動する過程で前記第２のカーテンウォールアセンブリを移動可能に支持する少なくとも１つの支持ローラと、をさらに備え、前記第１及び第２のカーテンウォールと移動ローラーアセンブリ、前記第３及び第４のカーテンウォールと第２の移動ローラーアセンブリが互いに固定または分離されるか、またはいずれか一方に対して他方が回動可能に連結された状態で前記壁体の長さ方向に移動または回動することによって、前記壁体の間に形成される空間のうち一部が別途の空間として仕切られることを特徴とする。
【００４２】
また、前記カーテンウォールアセンブリの一側には、その長さ方向に直交する方向に開口部が形成されることを特徴とする。
【発明の効果】
【００４３】
本発明によれば、カーテンウォールを壁体の間で移動可能になるので、カーテンウォールによって空間を可変的に仕切って使用することができるという利点がある。
【発明を実施するための最良の形態】
【００４４】
以下、添付の図面を参照して本発明による空間仕切り装置の第１の実施例を詳細に説明する。
図１は、本発明による空間仕切り装置の第１の実施例を示す部分切欠斜視図である。
【００４５】
図示のように、建築物の内部には、一対の壁体Ｗ１、Ｗ１’が設けられる。前記壁体Ｗ１、Ｗ１’は、耐力壁または非耐力壁であってもよく、必ず室内に位置すべきものではない。前記壁体Ｗ１、Ｗ１’は、互いに平行を成すように長さ方向に長く形成される。
また、前記壁体Ｗ１、Ｗ１’の対向する面には、ラックＲ１、Ｒ１’がそれぞれ設けられる。前記ラックＲ１、Ｒ１’は、後述するカーテンウォール１１０の移動のためのもので、前記壁体Ｗ１、Ｗ１’の対向する面の上下端に同一の高さをもって壁体Ｗ１、Ｗ１’の長さ方向に長く設けられる。
【００４６】
一方、前記壁体Ｗ１、Ｗ１’の間で壁体Ｗ１、Ｗ１’の長さ方向に移動可能にカーテンウォール１１０が設置される。前記カーテンウォール１１０は、前記壁体Ｗ１、Ｗ１’によって形成される空間を可変的に仕切るためのものである。前記カーテンウォール１１０は、長さ方向に長く形成され、前記カーテンウォールの長さ方向の両端部が前記壁体Ｗ１、Ｗ１’の対向する面にそれぞれ隣接するように位置する。
【００４７】
前記カーテンウォール１１０を構成するフレームＦには、前記カーテンウォール１１０の移動のための各種構成部品が設けられる。また、前記フレームＦの外側には、前記カーテンウォール１１０の実質的な外観を形成する複数の部材（図示せず）が設けられる。また、図示してはいないが、前記カーテンウォール１１０の一側には、開口部、例えば、ドアまたは窓が形成されることができる。この時、前記ドアまたは窓は、前記フレームＦと干渉しない位置に前記フレームＦの長さ方向に直交する方向に開口される。
また、前記カーテンウォール１１０の内部には、駆動モータＭが設けられる。前記駆動モータＭは、前記カーテンウォール１１０の移動のための駆動力を供給するもので、前記駆動モータＭが正方向または逆方向に回転することによって、前記カーテンウォール１１０が前記壁体Ｗ１、Ｗ１’の間で壁体Ｗ１、Ｗ１’の長さ方向に移動する。前記駆動モータＭには、駆動力を伝達するための駆動軸Ｍａが上下に設けられる。
【００４８】
前記駆動軸Ｍａには、第１のギア１１１が結合される。前記第１のギア１１１は、前記駆動モータＭの駆動力を伝達されて、前記駆動軸Ｍａを中心にして所定の方向に回転する。
また、前記第１のギア１１１には、第２のギア１１１’が噛合される。前記第２のギア１１１’は、前記駆動軸Ｍａと平行に上下に長く設けられるギア軸１１２’を中心にして回転可能に設置される。前記第２のギア１１１’は、前記駆動モータＭの駆動力を伝達された前記第１のギア１１１の回転によって第１のギア１１１と反対方向に回転する。
前記第１のギア１１１及び第２のギア１１１’の一面には、それぞれ第１の駆動プーリ１１３及び第２の駆動プーリ１１３’がそれぞれ設けられる。前記第１の駆動プーリ１１３と第２の駆動プーリ１１３’は、前記第１及び第２のギア１１１、１１１’の回転力を後述する回転軸１１５、１１５’に伝達するためのもので、実質的に前記第１のギア１１１または第２のギア１１１’と一体に成形される。したがって、前記第１及び第２の駆動プーリ１１３、１１３’は、それぞれ前記第１のギア１１１または第２のギア１１１’と同一の方向に回転する。
【００４９】
一方、前記カーテンウォール１１０の長さ方向の両端部には、回転軸１１５、１１５’がそれぞれ設置される。前記回転軸１１５、１１５’は、前記カーテンウォール１１０の長さ方向の両端部に上下に長く回転可能に設置される。以下、図示右側の回転軸を第１の回転軸１１５と称し、左側の回転軸を第２の回転軸１１５’と称する。
前記第１の回転軸１１５及び第２の回転軸１１５’には、第１の従動プーリ１１７及び第２の従動プーリ１１７’がそれぞれ設けられる。前記第１及び第２の従動プーリ１１７、１１７’は、前記第１及び第２の駆動プーリ１１３１１３’にベルトＢ、Ｂ’を介してそれぞれ連結され、第１の駆動プーリ１１３または第２の駆動プーリ１１３’の回転によって前記第１及び第２の回転軸１１５、１１５’を回転させる役目をする。このために、前記第１及び第２の従動プーリ１１７、１１７’は、前記第１及び第２の回転軸１１５、１１５’と一体に成形されることが好ましい。
【００５０】
また、前記第１及び第２の回転軸１１５、１１５’には、一対のピニオンＰ１、Ｐ１’がそれぞれ設けられる。前記ピニオンＰ１、Ｐ１’は、前記第１及び第２の回転軸１１５、１１５’の上下端に設けられるもので、前記ラックＲ１、Ｒ１’と噛合されてラックＲ１、Ｒ１’に沿って移動する。このために、前記ピニオンＰ１、Ｐ１’は、実質的に前記カーテンウォール１１０の両側に突出される。便宜上、前記第１の回転軸１１５に設けられるピニオンを第１のピニオンＰ１と称し、前記第２の回転軸１１５’に設けられるピニオンを第２のピニオンＰ１’と称する。
また、前記カーテンウォール１１０の下端には、複数の支持ローラ１１９が設けられる。前記支持ローラ１１９は、前記カーテンウォール１１０を前記壁体Ｗ１、Ｗ１’の長さ方向に移動可能に支持する役目をする。前記支持ローラ１１９の個数は、前記カーテンウォール１１０の長さによって決定される。
【００５１】
以下、本発明による空間仕切り装置の第１の実施例においてカーテンウォールが動作する過程を説明する。
まず、ユーザの操作によって前記駆動モータＭが正方向、例えば、時計方向に回転する。したがって、前記駆動モータＭの駆動軸Ｍａに結合された前記第１のギア１１１は、時計方向に回転し、前記第１のギア１１１に噛合された前記第２のギア１１１’は、反時計方向に回転する。
【００５２】
また、前記第１のギア１１１に設けられる前記第１の駆動プーリ１１３は、第１のギア１１１と同一に時計方向に回転し、前記第２のギア１１１’に設けられる前記第２の駆動プーリ１１３’は、第２のギア１１１’と同一に反時計方向に回転する。また、ベルトＢを介して前記第１の駆動プーリ１１３に連結された前記第１の回転軸１１５及び前記第１の従動プーリ１１７は、第１の駆動プーリ１１３と同一に時計方向に回転し、ベルトＢ’を介して前記第２の駆動プーリ１１３’に連結された前記第２の従動プーリ１１７’及び第２の回転軸１１５’は、第２の駆動プーリ１１３’と同一に反時計方向に回転する。
【００５３】
したがって、前記第１の回転軸１１５に設けられる前記第１のピニオンＰ１は、時計方向に回転しつつ、前記壁体Ｗ１、Ｗ１’のうち図示右側の壁体Ｗ１に設けられる前記ラックＲ１に沿って移動する。また、前記第２の回転軸１１５’に設けられる前記第２のピニオンＰ１’は、前記壁体Ｗ１、Ｗ１’のうち図示左側の壁体Ｗ１’に設けられる前記ラックＲ１’に沿って移動する。
【００５４】
また、このように前記第１のピニオンＰ１と第２のピニオンＰ１’が前記壁体Ｗ１、Ｗ１’に設けられるラックＲ１、Ｒ１’に沿って移動することによって、前記カーテンウォール１１０が図示右側に向かって上向き傾斜する方向に移動する。この時、前記カーテンウォール１１０の下端に設けられる前記支持ローラ１１９は、前記カーテンウォール１１０の移動方向に回転する。したがって、前記カーテンウォール１１０によって仕切られる空間を必要に応じて可変することができるようになる。
【００５５】
本発明の範囲は、前述した実施例に限定されず、請求範囲に記載された内容によって定義され、本発明の属する分野における通常の知識を有する者が請求範囲に記載した範囲内で多様な変形や修正が可能であることは自明である。
【００５６】
また、別に図示してはいないが、前記カーテンウォールにおいて駆動手段及び駆動力伝達手段が削除されることもできる。すなわち、ユーザまたは作業者が前記カーテンウォールを前記壁体の長さ方向に押圧すれば、前記ピニオンが前記ラックに沿って移動することによって、カーテンウォールが移動し、前記壁体によって形成される空間を可変的に仕切るように構成されることも可能である。
【００５７】
次に、添付の図面を参照して本発明による空間仕切り装置の第２の実施例を詳細に説明する。
図２は、本発明による空間仕切り装置の第２の実施例を示す部分切欠斜視図である。
【００５８】
図示のように、本実施例では、互いに平行の一対の壁体Ｗ２、Ｗ２’の間に前記壁体Ｗ２、Ｗ２’の長さ方向にカーテンウォール２１０を移動させるための駆動手段として、レバー２２１と一対のべベルギア２２５、２２７が設けられる。前記レバー２２１は、前記カーテンウォール２１０の前面の一側に設けられるもので、本体部２２２と、前記本体部２２２の両端から互いに遠くなる方向に直交するようにそれぞれ曲げられるギア連結部２２３及び取っ手部２２４とを有するように形成される。  前記ギア連結部２２３は、前記ギア連結部の一部が前記カーテンウォール２１０の内部に水平に挿入された状態で前記レバー２２１の回転中心になる。すなわち、前記レバー２２１は、前記ギア連結部２２３の一部が前記カーテンウォール２１０の内部に水平に挿入された状態でギア連結部２２３を中心にして前記本体部２２２及び取っ手部２２４が回転可能に設置される。また、前記取っ手部２２４は、前記レバー２２１を回動するためにユーザが手で把持する部分である。
【００５９】
一方、前記ギア連結部２２３には、前記べベルギア２２５、２２７のうち第１べベルギア２２５が結合される。前記第１べベルギア２２５は、前記カーテンウォール２１０の内部に設けられる第１のギア２１１の第１のギア軸２１２上に設けられる第２べベルギア２２７と噛合されるように設置される。したがって、ユーザが前記レバー２２１を回転させれば、前記第１及び第２べベルギア２２５、２２７が回転し、前記第２べベルギア２２７の回転によって前記第１のギア２１１が第１のギア軸２１２を中心にして回転する。
【００６０】
また、前記第１のギア２１１には、第２のギア２１１’が噛合される。前記第２のギア２１１’は、前記第１のギア２１１の回転によって第１のギア２１１の回転方向と反対方向に第２のギア軸２１２’を中心にして回転する。このような前記第２のギア２１１’の構成は、図１に示された実施例と同様である。
【００６１】
また、前記第１のギア２１１及び第２のギア２１１’の一面には、第１の駆動ベルトギア２１３及び第２の駆動ベルトギア２１３’がそれぞれ設けられる。前記第１の駆動ベルトギア２１３及び第２の駆動ベルトギア２１３’は、それぞれ前記第１のギア２１１及び第２のギア２１１’と一体に成形される。
【００６２】
前記カーテンウォール２１０の長さ方向の両端部には、第１の回転軸２１５と第２の回転軸２１５’がそれぞれ回転可能に上下に長く設置される。また、前記第１の回転軸２１５及び第２の回転軸２１５’の上下端部には、前記壁体Ｗ２、Ｗ２’の対向する一面に壁体Ｗ２、Ｗ２’の長さ方向に長く設けられるラックＲ２、Ｒ２’に噛合されて前記ラックＲ２、Ｒ２’に沿って移動する第１のピニオンＰ２及び第２のピニオンＰ２’が設けられる。このような構成も図１に示された実施例と同様なので、詳細な説明を省略する。
【００６３】
しかし、本実施例では、前記第１の回転軸２１５及び第２の回転軸２１５’には、それぞれ第１の従動ベルトギア２１７及び第２の従動ベルトギア２１７’が設けられる。前記第１の従動ベルトギア２１７及び第２の従動ベルトギア２１７’は、それぞれ前記第１の駆動ベルトギア２１３及び第２の駆動ベルトギア２１３’にベルトＢ、Ｂ’を介して連結される。
【００６４】
参照符号２１９は、支持ローラである。図１に示された実施例と同様に、前記支持ローラ２１９は、前記カーテンウォール２１０を前記壁体Ｗ２、Ｗ２’の長さ方向に移動可能に支持する役目をする。
【００６５】
したがって、本実施例では、ユーザが前記取っ手部２２４を把持し、前記レバー２２１を回転させれば、前記ギア連結部２２３に結合された前記第１のべベルギア２２５及び前記第１のべベルギア２２５に噛合された前記第２のべベルギア２２７が回転する。また、前記第１及び第２のべベルギア２２５、２２７の回転によって前記第１のギア２１１及び前記第１のギア２１１にギア連結された前記第２のギア２１１’が互いに反対方向に回転する。
また、前記第１のギア２１１及び第２のギア２１１’の回転によって前記第１の駆動ベルトギア２１３及び第２の駆動ベルトギア２１３’が回転する。また、前記第１の駆動ベルトギア２１３及び第２の駆動ベルトギア２１３’の回転によってこれに前記ベルトＢ、Ｂ’を介してそれぞれ連結された前記第１の従動ベルトギア２１７及び第２の従動ベルトギア２１７’がそれぞれ回転する。
また、前記第１の従動ベルトギア２１７及び第２の従動ベルトギア２１７’が設けられる前記第１の回転軸２１５及び第２の回転軸２１５’が回転することによって、前記第１のピニオンＰ２及び第２のピニオンＰ２’が前記壁体Ｗ２、Ｗ２’に設けられる前記ラックＲ２、Ｒ２’に沿って移動する。したがって、前記カーテンウォール２１０が前記壁体Ｗ２、Ｗ２’の長さ方向に移動する。
【００６６】
次に、添付の図面を参照して本発明による空間仕切り装置の第３の実施例を詳細に説明する。
図３は、本発明による空間仕切り装置の第３の実施例の要部を示す分解斜視図であり、図４及び図５は、本発明の第３の実施例の要部を示す側断面図である。
【００６７】
図示のように、壁体Ｗ３、Ｗ３’の対向する面にレール３２０、３２０’がそれぞれ設けられる。前記レール３２０、３２０’は、前記壁体Ｗ３、Ｗ３’の対向する面の上下端に同一の高さをもって壁体Ｗ３、Ｗ３’の長さ方向に長く設けられる。前記レール３２０、３２０’は、略方形の横断面を有するように形成される。また、前記レール３２０、３２０’の対向する面には、開口部３２１、３２１’が設けられる。前記レール３２０、３２０’の開口部３２１、３２１’は、前記レール３２０、３２０’の長さ方向に長く形成される。
【００６８】
また、前記レール３２０、３２０’の内部には、ラックＲ３、Ｒ３’が設置される。前記ラックＲ３、Ｒ３’は、前記レール３２０、３２０’の長さ方向、すなわち前記壁体Ｗ３、Ｗ３’の長さ方向に長く設けられる。前記ラックＲ３、Ｒ３’は、前記レール３２０、３２０’の開口部３２１、３２１’の反対側に相当する前記レール３２０、３２０’の内面の一側に固定される。したがって、前記レール３２０、３２０’の開口部３２１、３２１’を介してカーテンウォール３１０の両側端部に設けられるピニオンＰ３、Ｐ３’が前記ラックＲ３、Ｒ３’に噛合される。
【００６９】
前記レール３２０、３２０’の開口部３２１、３２１’の上下端には、ガイドスロット３２３、３２３’がそれぞれ設けられる。前記ガイドスロット３２３、３２３’は、前記レール３２０、３２０’の開口部３２１、３２１’の上下端にそれぞれ下方または上方に開口される。また、図４に示されたように、前記レール３２０、３２０’の開口部３２１、３２１’の反対側に相当する前記レール３２０、３２０’の内面と前記ラックＲ３、Ｒ３’の裏面との間には、装着スロット３２５、３２５’が形成される。前記ガイドスロット３２３、３２３’及び装着スロット３２５、３２５’には、後述する遮蔽ベルト３２９、３２９’の上下端または全部が挿入されてスライドする。
【００７０】
前記レール３２０、３２０’の内部には、レール３２０、３２０’に沿って移動可能に移動ローラーアセンブリ３３０、３３０’がそれぞれ設置される。図５に詳しく示されたように、前記移動ローラーアセンブリ３３０、３３０’は、一対の回転軸３３１、３３１’と、前記回転軸３３１、３３１’の上下端にそれぞれ回転可能に設置される４つの移動ローラ３３５、３３５’と、前記回転軸３３１、３３１’を連結する一対の連結バー３３３、３３３’とを備えて構成される。前記回転軸３３１、３３１’は、それぞれ垂直に設けられる。また、前記移動ローラ３３５、３３５’の外周面の一側が前記レール３２０、３２０’の内面の一側に密着され、実質的にレール３２０、３２０’に沿って移動可能に支持される。前記連結バー３３３、３３３’の両端部が前記回転軸３３１、３３１’の上下端に隣接して回転軸の外周面の一側に連結され、回転軸３３１、３３１’を互いに連結する役目をする。
【００７１】
一方、前記カーテンウォール３１０の両側端部には、一対のヒンジブラケット３４１、３４１’がそれぞれ設けられる。前記ヒンジブラケット３４１、３４１’は、前記カーテンウォール３１０の両側端部からカーテンウォール３１０の長さ方向にそれぞれ延長される。前記ヒンジブラケット３４１、３４１’は水平に設けられ、前記ヒンジブラケット３４１、３４１’には、それぞれ上下に開口されるヒンジホール３４３、３４３’が形成される。
【００７２】
また、前記回転軸３３１、３３１’の外周面の一側には、連結ブラケット３３７、３３７’がそれぞれ設けられる。前記連結ブラケット３３７、３３７’は、前記回転軸３３１、３３１’の外周面の一側に水平に設けられ、前記レール３２０、３２０’の開口部３２１、３２１’を介してレール３２０、３２０’の外側に延長される。前記連結ブラケット３３７、３３７’の上面は、前記ヒンジブラケット３４１、３４１’の底面に密着される。また、前記連結ブラケット３３７、３３７’には、連結孔３３９、３３９’がそれぞれ形成される。前記連結孔３３９、３３９’は、上下に開口され、前記ヒンジホール３４３、３４３’とそれぞれ連通する。
【００７３】
前記カーテンウォール３１０と移動ローラーアセンブリ３３０、３３０’とを選択的に連結させるために、一対のヒンジピン３４５、３４５’が設けられる。前記ヒンジピン３４５、３４５’は、前記ヒンジホール３４３、３４３’及び連結孔３３９、３３９’を順に貫通することによって、前記カーテンウォール３１０と移動ローラーアセンブリ３３０、３３０’が互いに固定または分離されるか、またはいずれか一方が他方に対して回動可能になるように連結される。
【００７４】
一方、前記レール３２０、３２０’の両端部には、支持プーリ３２７、３２７’がそれぞれ設けられる。前記支持プーリ３２７、３２７’は、前記レール３２０、３２０’の内部に垂直に設置される。また、前記支持プーリ３２７、３２７’には、前記遮蔽ベルト３２９、３２９’が係止される。前記遮蔽ベルト３２９、３２９’は、略前記レール３２０、３２０’の開口部３２１、３２１’に対応する幅をもって長さ方向に長く形成され、前記レール３２０、３２０’の開口部３２１、３２１’を遮蔽する役目をする。前記遮蔽ベルト３２９、３２９’が前記支持プーリ３２７、３２７’に係止された状態で、前記遮蔽ベルト３２９、３２９’の両端が前記連結ブラケット３３７、３３７’の一側にそれぞれ固定される。
【００７５】
この時、実質的に前記レール３２０、３２０’の開口部３２１、３２１’を遮蔽する前記遮蔽ベルト３２９、３２９’の一部の上下端部は、それぞれ前記ガイドスロット３２３、３２３’に挿入され、前記カーテンウォール３１０の移動に連動してスライドする。また、前記レール３２０、３２０’の開口部３２１、３２１’を遮蔽する前記遮蔽ベルト３２９、３２９’の残りの部分は、前記装着スロット３２５、３２５’に装着された状態で前記カーテンウォール３１０の移動に連動してスライドする。
【００７６】
一方、前記カーテンウォール３１０を移動させるための構成、例えば、駆動モータＭと第１及び第２のギア３１１、３１１’、第１及び第２の駆動プーリ３１３、３１３’、第１及び第２の回転軸３１５、３１５’、第１及び第２の従動プーリ３１７、３１７’、ベルトＢ、Ｂ’、及び支持ローラ３１９のような構成は、図１に示された実施例と同様である。すなわち前記駆動モータＭが駆動すれば、前記駆動モータＭの駆動力が前記第１及び第２のギア３１１、３１１’と第１及び第２の駆動プーリ３１３、３１３’、ベルトＢ、Ｂ’、第１及び第２の従動プーリ３１７、３１７’を介して伝達され、前記ピニオンＰ３、Ｐ３’が回転する。
【００７７】
また、前記ピニオンＰ３、Ｐ３’が回転しつつ、前記ラックＲ３、Ｒ３’に沿って移動する。この時、前記移動ローラーアセンブリ３３０、３３０’が前記レール３２０、３２０’に沿って移動することによって、前記カーテンウォール３１０が一層安定的に移動する。また、前記移動ローラーアセンブリ３３０、３３０’の移動によって、前記遮蔽ベルト３２９、３２９’が前記装着スロット３２５、３２５’及びガイドスロット３２３、３２３’に挿入された状態でスライドし、前記レール３２０、３２０’の開口部３２１、３２１’が前記移動ローラーアセンブリ３３０、３３０’に対応する一部を除いて遮蔽される。
【００７８】
また、前記カーテンウォール３１０を使用しない場合には、前記カーテンウォール３１０をその一面が前記壁体Ｗ３、Ｗ３’のうちいずれか一つに密着されるように回動させるか、または完全に分離し、他の場所に保管する。言い換えれば、前記カーテンウォール３１０の一端部は、前記移動ローラーアセンブリ３３０、３３０’から分離し、前記カーテンウォール３１０の他端部は、前記ヒンジピン３４５、３４５’のうちいずれか１つを前記ヒンジホール３４３、３４３’及び連結孔３３９、３３９’を貫通した状態で脱離させる。また、前記ヒンジピン３４５、３４５’のうち他の１つを中心にして前記カーテンウォール３１０を回転させて、その一面が前記壁体Ｗ３、Ｗ３’のうちいずれか１つに密着されるようにすることによって、前記壁体Ｗ３、Ｗ３’によって形成される空間を仕切ることなく、全体として使用することができるようになる。一方、前記カーテンウォール３１０の両端部を前記移動ローラーアセンブリ３３０、３３０’から分離させ、前記カーテンウォール３１０を他の場所に保管することによって、前記壁体Ｗ３、Ｗ３’によって形成される空間を仕切ることなく使用することもできる。
【００７９】
以下、添付の図面を参照して本発明による空間仕切り装置の第４の実施例を詳細に説明する。
図６は、本発明による空間仕切り装置の第４の実施例の要部を示す分解斜視図である。
【００８０】
図示のように、本実施例では、レール４２０、４２０’の開口部４２１、４２１’を遮蔽するために一対のロール４２７、４２７’が設けられる。前記ロール４２７、４２７’は、前記レール４２０、４２０’に隣接する壁体Ｗ４、Ｗ４’の対向する一面にそれぞれ設置される。前記ロール４２７、４２７’は、垂直方向の回転軸を中心にして回転可能に設置される。
【００８１】
また、前記ロール４２７、４２７’の内部には、弾性部材（図示せず）が設けられる。前記弾性部材は、後述する遮蔽スクリーン４２９、４２９’が巻き取られる方向に前記ロール４２７、４２７’が回転するようにする弾性力をロール４２７、４２７’に付与する。例えば、前記弾性部材として、前記ロール４２７、４２７’の回転軸上に設けられるコイルスプリングが使用されることができる。また、前記コイルスプリングは、前記ロール４２７、４２７’がその回転軸を中心にして図面で時計または反時計方向に回転し、遮蔽スクリーン４２９、４２９’が巻き取られるようにする弾性力を付与する。
【００８２】
また、前記ロール４２７、４２７’には、それぞれ遮蔽スクリーン４２９、４２９’の一端部が固定される。前記遮蔽スクリーン４２９、４２９’は、実質的に前記レール４２０、４２０’を含む前記壁体Ｗ４、Ｗ４’の一面を遮蔽することができる大きさで形成される。また、前記遮蔽スクリーン４２９、４２９’の他端部は、それぞれ前記壁体Ｗ４、Ｗ４’に沿って移動するカーテンウォール４１０の一端部にそれぞれ固定される。したがって、前記遮蔽スクリーン４２９、４２９’は、前記カーテンウォール４１０が前記壁体Ｗ４、Ｗ４’に沿って移動すれば、前記レール４２０を含む壁体Ｗ４、Ｗ４’の一面を遮蔽する。
【００８３】
本実施例において、前記カーテンウォール４１０を前記壁体Ｗ４、Ｗ４’に沿って移動させるための構成は、本発明の第３の実施例と同様である。すなわち本実施例のラックＲ４、Ｒ４’及びピニオンＰ４、Ｐ４’、開口部開口部４２１、４２１’が設けられるレール４２０、４２０’、一対の回転軸４３１、４３１’と４つの移動ローラ４３５、４３５’とを備えて構成される移動ローラーアセンブリ４３０、４３０’、連結バー４３３、４３３’、ヒンジホール４３９、４３９’が形成されるヒンジブラケット４３７、４３７’、連結孔４４３、４４３’が形成される連結ブラケット４４１、４４１’、及びヒンジピン４４５、４４５’は、本発明の第３の実施例と同様に構成される。但し、本発明の第３の実施例では、前記レール３２０、３２０’にガイドスロット３２３、３２３’と装着スロット３２５、３２５’が設けられるが、本実施例では、前記遮蔽スクリーン４２９、４２９’が遮蔽ベルト３２９、３２９’の役目をするので、前記レール４２０にガイドスロット及び装着スロットが設けられていない。
【００８４】
次に、添付の図面を参照して、本発明による空間仕切り装置の第５の実施例を詳細に説明する。
図７は、本発明による空間仕切り装置の第５の実施例を示す部分切欠斜視図である。
【００８５】
図示のように、建築物の内部には、一対の壁体Ｗ５、Ｗ５’が設けられる。前記壁体Ｗ５、Ｗ５’は、耐力壁または非耐力壁であってもよく、必ず室内に位置すべきものではない。前記壁体Ｗ５、Ｗ５’は、互いに平行を成すように長さ方向に長く形成される。
また、前記壁体Ｗ５、Ｗ５’の対向する面の上下端には、長さ方向に長く移動溝５０１がそれぞれ設けられる。前記移動溝５０１は、前記壁体Ｗ５、Ｗ５’の対向する面の上下端が壁体Ｗ５、Ｗ５’の内部に互いに遠くなる方向、すなわち前記壁体Ｗ５、Ｗ５’の内部に水平に凹設される。
【００８６】
また、前記移動溝５０１の両端部には、固定リブ５０３がそれぞれ設けられる。前記固定リブ５０３は、前記移動溝５０１の両端部にそれぞれ垂直に設けられる。したがって、本実施例では、前記固定リブ５０３が合計８個、すなわち前記壁体Ｗ５、Ｗ５’毎に４個ずつ設けられる。前記固定リブ５０３には、後述するワイヤ５２１、５２２、５２３、５２４の一端がそれぞれ固定される。
【００８７】
一方、前記壁体Ｗ５、Ｗ５’の間に壁体Ｗ５、Ｗ５’の長さ方向に移動可能にカーテンウォール５１０が設置される。前記カーテンウォール５１０は、前記壁体Ｗ５、Ｗ５’によって形成される空間を可変的に仕切るためのものである。前記カーテンウォール５１０は、長さ方向に長く形成され、前記カーテンウォールの長さ方向の両端部が前記壁体Ｗ５、Ｗ５’の対向する面にそれぞれ隣接するように位置する。
【００８８】
前記カーテンウォール５１０を構成するフレーム５１０Ｆには、前記カーテンウォール５１０の移動のための各種構成部品が設けられる。また、前記フレーム５１０Ｆの外側には、前記カーテンウォール５１０の実質的な外観を形成する複数の仕上げ部材（図示せず）が設けられる。また、図示してはいないが、前記カーテンウォール５１０の一側には、開口部、例えば、ドアまたは窓が形成されることができる。この時、前記ドアまたは窓は、前記フレーム５１０Ｆと干渉しない位置に前記フレーム５１０Ｆの長さ方向に直交する方向に開口される。
【００８９】
また、前記フレーム５１０Ｆには、駆動モータＭが設けられる。前記駆動モータＭは、前記カーテンウォール５１０の移動のための駆動力を供給するもので、前記駆動モータＭが正方向または逆方向に回転することによって、前記カーテンウォール５１０が前記壁体Ｗ５、Ｗ５’の間に壁体Ｗ５、Ｗ５’の長さ方向に移動する。前記駆動モータＭには、駆動力を伝達するための駆動軸が水平に設けられる。
【００９０】
前記駆動モータＭの駆動軸には、回動軸５１１が結合される。前記回動軸５１１は、ワイヤ５２１、５２２、５２３、５２４を巻き取るためのもので、前記フレームプレ５１０Ｆの略中央部に水平に回動可能に設置される。この時、前記回動軸５１１の一端は、前記フレーム５１０Ｆに設けられるベアリング（図示せず）に結合されることができる。
【００９１】
また、図示してはいないが、前記回動軸５１１の外周面には、複数の仕切りフランジが設けられる。前記仕切りフランジは、前記回動軸５１１の外周面から放射状に延長され、前記回動軸５１１に巻き取られるワイヤ５２１、５２２、５２３、５２４が互いに干渉しないように外周面を仕切る役目をする。すなわち実質的にワイヤ５２１、５２２、５２３、５２４は、前記仕切りフランジの間に該当する前記回動軸５１１の外周面に重畳されるように巻き取られるものである。
【００９２】
前記回動軸５１１には、前記固定リブ５０３にその一端が固定された８本すべてのワイヤ５２１、５２２、５２３、５２４の他端が所定の長さだけ巻き取られる。移動溝５０１の一端部に形成された前記固定リブ５０３にその一端が固定された前記ワイヤ５２１、５２２、５２３、５２４の一部は、前記移動溝５０１の他端部に形成された前記固定リブ５０３にその一端が固定された他のワイヤと対向する方向に前記回動軸５１１に巻き取られる。
【００９３】
すなわち、前記移動溝５０１の図示左側端部に設けられる前記固定リブ５０３にその一端が固定されるワイヤ５２１、５２３（以下、それぞれ「第１の上部ワイヤ５２１」と「第１の下部ワイヤ５２３」という）は、前記回動軸５１１に時計方向に巻き取られる。また、前記移動溝５０１の図示右側端部に設けられる前記固定リブ５０３にその一端が固定されるワイヤ５２２、５２４（以下、それぞれ「第２の上部ワイヤ５２２」と「第２の下部ワイヤ５２４」という）は、前記回動軸５１１に反時計方向に巻き取られる。
【００９４】
一方、前記フレーム５１０Ｆには、複数のプーリ５１３が設けられる。前記プーリ５１３は、前記ワイヤ５２１、５２２、５２３、５２４を支持するためのものである。図示の実施例では、前記第１及び第２の上部ワイヤ５２１、５２２を支持するために１つのワイヤ当たり２個のプーリ５１３がそれぞれ設けられ、前記第１及び第２の下部ワイヤ５２３、５２４を支持するために１つのワイヤ当たり４個のプーリ５１３がそれぞれ設けられる。
【００９５】
また、前記フレーム５１０Ｆの下部には、複数の支持ローラ５１５が設けられる。前記支持ローラ５１５は、前記カーテンウォール５１０を移動可能に支持する役目をする。前記支持ローラ５１５は、前記フレーム５１０Ｆの下部に水平に設けられる回転軸５１７を中心にして時計方向または反時計方向に回転する。
【００９６】
以下、本発明による空間仕切り装置の第５の実施例においてカーテンウォールが動作する過程を説明する。
まず、ユーザの操作によって前記駆動モータＭが正方向、例えば、反時計方向に回動する。また、前記駆動モータＭの駆動軸に結合された前記回動軸５１１は、反時計方向に回動し始める。
このように前記回動軸５１１が反時計方向に回動すれば、前記回動軸５１１に巻き取られた前記第１の上部ワイヤ５２１と第１の下部ワイヤ５２３が解かれ始める。また、これと同時に、前記第２の上部ワイヤ５２２と第２の下部ワイヤ５２４は、前記回動軸５１１に巻き取られ始める。
したがって、前記カーテンウォール５１０が前記壁体Ｗ５、Ｗ５’に沿って図示右側に移動し始める。また、前記カーテンウォール５１０が所定の位置に移動すれば、ユーザが前記駆動モータＭを停止させることによって、前記カーテンウォール５１０によって仕切られる空間を可変する。
【００９７】
次に、添付の図面を参照して本発明による空間仕切り装置の第６の実施例を詳細に説明する。
図８は、本発明による空間仕切り装置の第６の実施例を示す部分切欠斜視図である。
【００９８】
図示のように、本実施例では、互いに平行の一対の壁体Ｗ６、Ｗ６’の間に前記壁体Ｗ６、Ｗ６’の長さ方向にカーテンウォール６１０を移動させるための駆動手段として、前記カーテンウォール６１０を移動可能に支持する支持ローラ６１５の回動力を使用する。すなわち、ユーザが前記カーテンウォール６１０を移動させれば、前記支持ローラ６１５が回転し、回動軸６１１が前記支持ローラ６１５の回転力を伝達されて回転するように構成される。
【００９９】
このために、前記回動軸６１１と回転軸６１７がベルト６１９を介して連結される。したがって、前記支持ローラ６１５、実質的に前記支持ローラ６１５が設けられる前記回転軸６１７が回転すれば、前記回転軸６１７に連動して、前記回動軸６１１が回転する。したがって、前記回動軸６１１に前記ワイヤ６２１、６２２、６２３、６２４が巻き取られるか、または解かれることによって、前記カーテンウォール６１０が前記壁体Ｗ６、Ｗ６’の長さ方向に移動する。
【０１００】
本発明の第５及び第６の実施例では、前記カーテンウォールの移動のために複数のワイヤが設けられるが、チェーンによって前記カーテンウォールが移動するように構成されることができる。前記カーテンウォールがチェーンによって移動するように構成される場合には、前記回動軸の外周面に前記チェーンが巻き取られる複数のスプロケットが設けられ、前記プーリに代わって、複数のギアが設けられる。
【０１０１】
また、本発明の第６の実施例では、前記支持ローラの回転力を前記回動軸に伝達するためにベルトが設けられるが、必ずこれに限定されるものではない。例えば、前記回動軸及び回転軸の両端部または一端部にそれぞれギアが設けられ、これらを連結するチェーンによって前記支持ローラの回転力が前記回動軸に伝達するように構成されることも可能である。
【０１０２】
以下、添付の図面を参照して本発明による空間仕切り装置の第７の実施例を詳細に説明する。
図９は、本発明による空間仕切り装置の第７の実施例を示す平面図である。
【０１０３】
図示のように、建築物の内部には、一対の壁体Ｗ７、Ｗ７’が設けられる。前記壁体Ｗ７、Ｗ７’は、耐力壁または非耐力壁であってもよく、必ず室内に位置すべきものではない。前記壁体Ｗ７、Ｗ７’は、互いに平行を成すように長さ方向に長く形成される。
また、前記壁体Ｗ７、Ｗ７’のうち図示上方の壁体Ｗ７において、他の壁体Ｗ７’と対向する一面、すなわち、図示下面には、ヒンジブラケット７０１が設けられる。前記壁体Ｗ７のヒンジブラケット７０１は、壁体Ｗ７の一面に水平に延長するように設けられる。前記壁体Ｗ７のヒンジブラケット７０１の先端には、上下に貫通するヒンジホールが形成される。
【０１０４】
また、前記壁体Ｗ７の内部には、所定の第１の作動空間７０３が形成される。前記第１の作動空間７０３は、後述するカーテンウォールアセンブリ７１０を回動させるための構成が設けられ、前記壁体Ｗ７のヒンジブラケット７０１に隣接する壁体Ｗ７の一面を通じて開口される。
【０１０５】
一方、前記第１の作動空間７０３の内部には、第１の駆動モータ７０５が設置される。前記第１の駆動モータ７０５は、カーテンウォールアセンブリ７１０の回動のための駆動力を供給するためのものである。前記第１の駆動モータ７０５は、その駆動軸７０７が上方に垂直に設けられるように前記第１の作動空間７０３の内部に設置される。この時、前記第１の駆動モータ７０５は、前記第１の作動空間７０３の図示右側に位置する。
【０１０６】
前記第１の駆動モータ７０５の駆動軸７０７の先端には、第１のギア７０９が設けられる。前記第１のギア７０９は、前記第１の駆動モータ７０５の駆動軸７０７の回転によって回転する。また、前記第１のギア７０９は、前記第１の駆動モータ７０５の駆動軸７０７に設けられた状態で前記第１の作動空間７０３の内部に位置することが好ましい。
【０１０７】
また、前記壁体Ｗ７、Ｗ７’の間には、カーテンウォールアセンブリ７１０が設けられる。前記カーテンウォールアセンブリ７１０は、前記壁体Ｗ７、Ｗ７’の間の空間を仕切る役目をする。前記カーテンウォールアセンブリ７１０は、長さ方向に長く形成され、前記カーテンウォールの長さ方向の両端部が前記壁体Ｗ７、Ｗ７’の対向する面にそれぞれ隣接するように位置するように壁体Ｗ７、Ｗ７’の長さ方向に直交する方向に設けられる。
【０１０８】
前記カーテンウォールアセンブリ７１０は、前記壁体Ｗ７に隣接するその一端部を中心にして他端部が図示時計または反時計方向に回動可能に設置される。前記カーテンウォールアセンブリ７１０は、一対のカーテンウォールを備えて構成される。以下、前記壁体Ｗ７、Ｗ７’のうち図示上方の壁体Ｗ７に隣接するカーテンウォールを第１のカーテンウォール７２０と称し、また、図示下方の壁体Ｗ７’に隣接するカーテンウォールを第２のカーテンウォール７３０と称する。
【０１０９】
前記壁体Ｗ７に隣接する前記第１のカーテンウォール７２０の図示左側面の一端には、ヒンジブラケット７２１が設けられる。前記第１のカーテンウォール７２０のヒンジブラケット７２１は、第１のカーテンウォール７２０の図示左側面から左側に水平に延長される。前記第１のカーテンウォール７２０のヒンジブラケット７２１の上面は、前記壁体Ｗ７のヒンジブラケット７０１の底面に密着され、前記第１のカーテンウォール７２０のヒンジブラケット７２１には、前記壁体Ｗ７のヒンジブラケット７０１のヒンジホールに対応するヒンジホールが形成される。
【０１１０】
前記第１のカーテンウォール７２０を前記壁体Ｗ７、Ｗ７’に回動可能に支持するために第１のヒンジピン７４１が設けられる。前記第１のヒンジピン７４１は、前記壁体Ｗ７のヒンジブラケット７０１と前記第１のカーテンウォール７２０のヒンジブラケット７２１のヒンジホールを順に貫通する。したがって、前記第１のカーテンウォール７２０は、実質的に前記第１のヒンジピン７４１を中心にして前記壁体Ｗ７に対して回動する。
【０１１１】
前記壁体Ｗ７に隣接する前記第１のカーテンウォール７２０の一端部には、第１セクターギアＧ１が設けられる。前記第１セクターギアＧ１は、前記第１のカーテンウォール７２０の一端部から水平に延長され、前記第１の作動空間７０３の内部で前記第１のギア７０９と噛み合う。前記第１セクターギアＧ１は、その弧が前記第１のギア７０９に向かう所定の中心角を有する扇形状で形成される。
【０１１２】
一方、前記第１セクターギアＧ１の反対側に該当する前記第１のカーテンウォール７２０の図示右側面の一端には、ヒンジプレート７２２が設けられる。すなわち実質的に前記第１のカーテンウォール７２０のヒンジブラケット７２１とヒンジプレート７２２は、第１のカーテンウォール７２０の長さ方向の中心線を基準として互いに対称となるように設けられる。前記第１のカーテンウォール７２０のヒンジプレート７２２は、第１のカーテンウォール７２０の図示右側面から水平に延長され、前記第１のカーテンウォール７２０のヒンジプレート７２２には、ヒンジホールが形成される。
【０１１３】
前記第１セクターギアＧ１の反対側に該当する前記第１のカーテンウォール７２０の他端部には、第２の作動空間７２３が設けられる。また、前記第２の作動空間７２３の内部には、第２の駆動モータ７２５が設けられる。前記第２の駆動モータ７２５は、前記第２の駆動モータの駆動軸７２７が垂直になるように前記第２の作動空間７２３の図示右側に位置する。また、前記第２の駆動モータ７２５の駆動軸７２７には、第２のギア７２９が設けられる。
【０１１４】
前記第１のカーテンウォール７２０の他端部に隣接する前記第２のカーテンウォール７３０の図示右側面の一端には、ヒンジプレート７３２が設けられる。前記第２のカーテンウォール７３０のヒンジプレート７３２の上面は、前記第１のカーテンウォール７２０のヒンジプレート７２２の底面に密着され、前記第２のカーテンウォール７３０のヒンジプレート７３２には、前記第１のカーテンウォール７２０のヒンジプレート７２２のヒンジホールに対応するヒンジホールが形成される。
【０１１５】
前記第２のカーテンウォール７３０は、前記第１のカーテンウォール７２０に対して図示時計または反時計方向に回動可能に支持される。このために、前記第１のカーテンウォール７２０のヒンジプレート７２２と前記第２のカーテンウォール７３０のヒンジプレート７３２のヒンジホールを第２のヒンジピン７４３が順に貫通する。したがって、前記第２のカーテンウォール７３０は、前記第２のヒンジピン７４３を中心にして前記第１のカーテンウォール７２０に対して回動する。
【０１１６】
また、前記第２のカーテンウォール７３０の一端部には、第２セクターギアＧ２が設けられる。前記第２セクターギアＧ２は、略２７０゜の中心角を有する扇形状で形成され、前記第２のカーテンウォール７３０の図示一端部の左側エッジ部から水平に延長され、前記第２の作動空間７２３の内部に前記第２のギア７２９に噛合される。
【０１１７】
また、図示してはいないが、前記第１及び第２のカーテンウォール７２０、７３０の底面には、複数の支持ローラが設けられる。前記支持ローラは、前記カーテンウォールアセンブリ７１０が前記壁体Ｗ７に対して前記第１のヒンジピン７４１を中心にして回動するか、または前記第２のカーテンウォール７３０が前記第１のカーテンウォール７２０に対して前記第２のヒンジピン７４３を中心にして回動する過程で、前記第１及び第２のカーテンウォール７２０、７３０を支持する役目をする。
【０１１８】
以下、添付の図面を参照して本発明による空間仕切り装置の第７の実施例によって空間を仕切る過程を詳細に説明する。
図１０乃至図１３は、本発明の第７の実施例によって空間を仕切る過程を示す動作状態図である。
【０１１９】
まず、壁体Ｗ７、Ｗ７’の間の空間がカーテンウォールアセンブリ７１０によって完全に仕切られた状態で、前記壁体Ｗ７、Ｗ７’の間の空間を１つの空間として使用するためには、カーテンウォールアセンブリ７１０を第１のヒンジピン７４１を中心にして図示時計方向に回動させる。すなわち、図１０に示されたように、第１の駆動モータ７０５が図示反時計方向に駆動すれば、第１のギア７０９が図示反時計方向に回転することによって、第１セクターギアＧ１が前記第１のヒンジピン７４１を中心にして図示時計方向に回動し、実質的に前記カーテンウォールアセンブリ７１０が前記第１のヒンジピン７４１を中心にして図示時計方向に回動し始める。
【０１２０】
また、図１１に示されたように、前記カーテンウォールアセンブリ７１０が図示時計方向に回転し、図示左側面が前記壁体Ｗ７の図示下面に隣接すれば、前記第１の駆動モータ７０５の駆動が停止される。したがって、前記壁体Ｗ７、Ｗ７’の間の空間を１つの空間として使用することができるようになる。
【０１２１】
一方、前記壁体Ｗ７、Ｗ７’の間の空間が前記カーテンウォールアセンブリ７１０によって完全に仕切られた状態で、前記壁体Ｗ７、Ｗ７’の間の空間を部分的に仕切ることもできる。この場合には、図１２に示されたように、第２のカーテンウォール７３０を第２のヒンジピン７４３を中心にして図示反時計方向に回動させる。
【０１２２】
すなわち、第２の駆動モータ７２５が駆動すれば、第２のギア７２９が図示時計方向に回転する。したがって、前記第２のギア７２９に噛合される第２セクターギアＧ２が前記第２のヒンジピン７４３を中心にして図示反時計方向に回動することによって、実質的に前記第２のカーテンウォール７３０が前記第２のヒンジピン７４３を中心にして図示反時計方向に回動し始める。
【０１２３】
また、図１３に示されたように、前記第２のカーテンウォール７３０の図示右側面が前記第１のカーテンウォール７２０の図示左側面に隣接すれば、前記第２の駆動モータ７２５の駆動が停止される。したがって前記壁体Ｗ７、Ｗ７’の間の空間の一部だけが前記第１のカーテンウォール７２０によって仕切られる。
【０１２４】
以下、添付の図面を参照して本発明による空間仕切り装置の第８の実施例を詳細に説明する。
図１４は、本発明による空間仕切り装置の第８の実施例を示す部分切欠斜視図であり、図１５は、本発明の第８の実施例を構成する移動ローラーアセンブリがレールに設置された状態を示す側断面図であり、図１６は、本発明の第８の実施例を構成する第１及び第２のカーテンウォールの連結部を示す分解斜視図であり、図１７は、本発明の第８の実施例を構成する第１及び第２のカーテンウォールと移動ローラーアセンブリの連結部を示す分解斜視図である。
【０１２５】
図示のように、建築物の内部には、一対の壁体Ｗ８、Ｗ８’が設けられる。前記壁体Ｗ８、Ｗ８’は、耐力壁または非耐力壁であってもよく、必ず室内に位置すべきものではない。前記壁体Ｗ８、Ｗ８’は、互いに平行を成すように長さ方向に長く形成される。
また、前記壁体Ｗ８、Ｗ８’の対向する面には、レール８０１、８０１’がそれぞれ設けられる。前記レール８０１、８０１’は、後述するカーテンウォールの移動のためのもので、前記壁体Ｗ８、Ｗ８’の対向する面の上下端に同一の高さをもって壁体Ｗ８、Ｗ８’の長さ方向に長く設けられる。
【０１２６】
図１５に示されたように、前記レール８０１、８０１’は、対向する方向に開口される略コ字形状で形成される。前記レール８０１、８０１’の底面の先端には、係止鍔８０２、８０２’がそれぞれ設けられる。前記係止鍔８０２、８０２’は、前記レール８０１、８０１’の底面の先端から上方に所定の高さだけ延長されるもので、レール８０１、８０１’の長さ方向に長く設けられる。
【０１２７】
また、前記係止鍔８０２、８０２’には、複数の固定ホール８０４、８０４’がそれぞれ形成される。また、前記固定ホール８０４、８０４’に対応する前記レール８０１、８０１’の内側面には、固定溝８０６、８０６’がそれぞれ形成される。前記固定ホール８０４、８０４’及び固定溝８０６、８０６’は、後述する移動ローラ８３４、８３４’を所定の位置に固定させるためのものである。このために、前記固定ホール８０４、８０４’及び固定溝８０６、８０６’は、前記レール８０１、８０１’の長さ方向に所定の間隔で間隔だけ離隔されるように多数個が形成される。
【０１２８】
一方、さらに図１４を参照すれば、前記壁体Ｗ８、Ｗ８’の間に壁体Ｗ８、Ｗ８’の長さ方向に移動可能にカーテンウォールアセンブリ８１０が設置される。前記カーテンウォールアセンブリ８１０は、前記壁体Ｗ８、Ｗ８’によって形成される空間を可変的に仕切るためのものである。前記カーテンウォールアセンブリ８１０は、長さ方向に長く形成され、前記カーテンウォールの長さ方向の両端部が前記壁体Ｗ８、Ｗ８’の対向する面にそれぞれ隣接するように位置する。
【０１２９】
前記カーテンウォールアセンブリ８１０は、第１のカーテンウォール８２０と第２のカーテンウォール８２０’とを備えて構成される。前記第１のカーテンウォール８２０及び第２のカーテンウォール８２０’は、長さ方向に長く形成される。図示の実施例では、前記第１のカーテンウォール８２０及び第２のカーテンウォール８２０’の長さが同一の値として決定される。また、前記第１のカーテンウォール８２０及び第２のカーテンウォール８２０’は、同一の直線上に位置する。
【０１３０】
一方、前記第１及び第２のカーテンウォール８２０、８２０’の長さ方向の両端部のうち隣接する一端部は、隣接する端部が固定または互いに分離されて、一方のカーテンウォールが他方のカーテンウォールに対して回動可能に互いに連結される。また、前記第１及び第２のカーテンウォール８２０、８２０’の他端部は、前記壁体Ｗ８、Ｗ８’の対向する面に隣接するように位置する。
【０１３１】
図１６に示されたように、前記第１及び第２のカーテンウォール８２０、８２０’の隣接する一端部には、それぞれ複数のヒンジプレート８２２、８２２’がそれぞれ設けられる。図示の実施例では、前記第１及び第２のカーテンウォール８２０、８２０’の隣接する一端部の上下部にそれぞれ１つのヒンジプレート８２２、８２２’が互いに対応するように設けられる。以下では、説明の便宜上、前記第１のカーテンウォール８２０の一端部に設けられるヒンジプレートを第１のヒンジプレート８２２と称し、前記第２のカーテンウォール８２０’の一端部に設けられるヒンジプレートを第２のヒンジプレート８２２’と称する。
【０１３２】
前記第１及び第２のヒンジプレート８２２、８２２’は、所定の面積を有する長方形の板状に形成される。前記第１のヒンジプレート８２２の前記カーテンウォールの移動方向の両端部には、第１のヒンジ口８２３がそれぞれ形成される。また、前記第２のヒンジプレート８２２’の前記カーテンウォールの移動方向の両端部には、第２のヒンジ口８２３’がそれぞれ形成される。
【０１３３】
前記第１のヒンジ口８２３及び第２のヒンジ口８２３’は、前記第１のヒンジプレート８２２及び第２のヒンジプレート８２２’の両端部に上下に長くそれぞれ形成される。また、前記第１及び第２のヒンジ口８２３、８２３’は、前記第１及び第２のカーテンウォール８２０、８２０’の一端部の両側エッジ部に隣接するように位置することが好ましい。
【０１３４】
前記第１のヒンジ口８２３及び第２のヒンジ口８２３’は、互いに連通するように構成される。図示の実施例では、前記第１のヒンジ口８２３及び第２のヒンジ口８２３’がそれぞれ前記第１のヒンジプレート８２２の上部及び前記第２のヒンジプレート８２２’の下部に形成され、前記第１のヒンジ口８２３の下端部及び前記第２のヒンジ口８２３’の上端部が互いに密着されることによって、両者が連通する。
【０１３５】
また、前記第１のヒンジ口８２３と第２のヒンジ口８２３’を順に貫通する一対のヒンジピン８２４が設けられる。前記ヒンジピン８２４は、前記第１及び第２のヒンジプレート８２２、８２２’の両端部を選択的に連結する役目をする。このために、前記ヒンジピン８２４は、前記第１のヒンジ口８２３と第２のヒンジ口８２３’を上方から下方に順に貫通する。
【０１３６】
前記ヒンジピン８２４は、前記第１のヒンジ口８２３と第２のヒンジ口８２３’を順に貫通するピン本体８２４ａと、前記ピン本体８２４ａの上端に設けられ、前記第１のヒンジ口８２３の上端に係止されるピンヘッド８２４ｂとを備えて構成される。前記ピン本体８２４ａは、少なくとも前記第１のヒンジ口８２３と第２のヒンジ口８２３’の高さの合計以上の長さと前記第１及び第２のヒンジ口８２３、８２３’の内径に比べて相対的に小さい外径で形成されることが好ましい。また、前記ピンヘッド８２４ｂは、前記第１及び第２のヒンジ口８２３、８２３’の内径に比べて相対的に大きい外径で形成される。
【０１３７】
前記ヒンジピン８２４は、前記第１及び第２のヒンジプレート８２２、８２２’の両端部の両方または両端部のうちいずれか一端部の前記第１のヒンジ口８２３と第２のヒンジ口８２３’を選択的に貫通することができる。したがって、前記ヒンジピン８２４によって前記第１及び第２のヒンジプレート８２２、８２２’の両端部の両方または両端部のうちいずれか一端部が選択的に連結される。
【０１３８】
また、このように前記ヒンジピン８２４によって前記第１及び第２のヒンジプレート８２２、８２２’の両端部の両方または両端部のうちいずれか一端部が選択的に連結されることによって、前記第１のカーテンウォール８２０と第２のカーテンウォール８２０’が互いに固定または分離されるか、またはいずれか一方に対して他方が回動可能に分離するように連結される。さらに詳細に説明すれば、前記ヒンジピン８２４によって前記第１及び第２のヒンジプレート８２２、８２２’の両端部がすべて連結された状態、すなわち、前記ヒンジピン８２４が前記第１及び第２のヒンジプレート８２２、８２２’の両端部の前記第１のヒンジ口８２３と第２のヒンジ口８２３’をそれぞれ順に貫通した状態では、前記第１のカーテンウォール８２０と第２のカーテンウォール８２０’が互いに固定される。また、前記第１及び第２のヒンジプレート８２２、８２２’の両端部がすべて分離された状態では、前記第１のカーテンウォール８２０と第２のカーテンウォール８２０’が互いに分離される。しかし、前記ヒンジピン８２４によって前記第１及び第２のヒンジプレート８２２、８２２’の両端部のうちいずれか一端部が連結された状態、すなわち前記ヒンジピン８２４が前記第１及び第２のヒンジプレート８２２、８２２’の両端部のうちいずれか一端部の前記第１のヒンジ口８２３と第２のヒンジ口８２３’を順に貫通した状態では、前記第１のカーテンウォール８２０と第２のカーテンウォール８２０’は、前記ヒンジピン８２４が貫通した前記第１及び第２のヒンジプレート８２２、８２２’の両端部のうちいずれか一端部を中心にしていずれか一方に対して他方が回動可能になる。
【０１３９】
一方、図１４及び図１５に示されたように、前記壁体Ｗ８、Ｗ８’の対向する面に隣接する前記第１及び第２のカーテンウォール８２０、８２０’の他端部には、一対の移動ローラーアセンブリ８３０、８３０’がそれぞれ設けられる。前記第１及び第２のカーテンウォール８２０、８２０’の移動のために、前記移動ローラーアセンブリ８３０、８３０’は、前記レール８０１、８０１’に沿って移動する。
【０１４０】
前記移動ローラーアセンブリ８３０、８３０’は、前記レール８０１、８０１’の内部に設置されるローラブラケット８３２、８３２’と、前記ローラブラケット８３２、８３２’の下端部の両側に設けられ、前記レール８０１、８０１’に沿って移動可能に支持される一対の移動ローラ８３４、８３４’とを備えて構成される。以下では、説明の便宜上、前記第１のカーテンウォール８２０の他端部に設けられる移動ローラーアセンブリを第１の移動ローラーアセンブリ８３０と称し、前記第２のカーテンウォール８２０’の他端部に設けられる移動ローラーアセンブリを第２の移動ローラーアセンブリ８３０’と称する。
さらに図１５を参照すれば、前記ローラブラケット８３２、８３２’には、それぞれ複数の貫通孔８３３、８３３’が形成される。前記貫通孔８３３、８３３’は、前記固定ホール８０４、８０４’に挿入される固定ピン８３８が貫通する箇所である。前記貫通孔８３３、８３３’は、前記固定ホール８０４、８０４’の間の間隔に対応する間隔で互いに所定の距離だけ離隔するように形成される。
【０１４１】
前記第１及び第２のカーテンウォール８２０、８２０’と前記第１及び第２の移動ローラーアセンブリ８３０、８３０’は、互いに固定されるか、または第１及び第２の移動ローラーアセンブリ８３０、８３０’に対して第１のカーテンウォール８２０または第２のカーテンウォール８２０’が回動可能に分離されるように連結される。このために、図１７に詳細に示されたように、前記第１及び第２のカーテンウォール８２０、８２０’の他端部には、ヒンジブラケット８２５、８２５’がそれぞれ設けられる。また、前記第１及び第２のカーテンウォール８２０、８２０’の他端部に隣接する前記第１及び第２ローラブラケット８３２、８３２’の一面には、連結ブラケット８３５、８３５’がそれぞれ設けられる。
【０１４２】
前記ヒンジブラケット８２５、８２５’は、前記第１及び第２のカーテンウォール８２０、８２０’の他端部に直交するように所定の長さだけ延長される。前記連結ブラケット８３５、８３５’は、前記ヒンジブラケット８２５、８２５’の一面に直交するように所定の長さだけ延長される。また、前記ヒンジブラケット８２５、８２５’及び連結ブラケット８３５、８３５’の前記カーテンウォールの移動方向の両端部には、ヒンジホール８２６、８２６’及び連結孔８３６、８３６’がそれぞれ形成される。
【０１４３】
前記ヒンジホール８２６、８２６’と連結孔８３６、８３６’は、それぞれ上下に開口され、互いに連通する。例えば、前記ヒンジホール８２６、８２６’の下端と前記連結孔８３６、８３６’の上端が互いに密着されることによって、両者が連通するように構成されることもできる。しかし、前記ヒンジホール８２６、８２６’と連結孔８３６、８３６’が連通する構成が必ずこれに限定されるものではない。
【０１４４】
前記ヒンジホール８２６、８２６’は、前記第１及び第２のカーテンウォール８２０、８２０’の一端部の両側エッジ部に隣接する位置に形成される。また、前記連結孔８３６、８３６’は、前記ヒンジホール８２６、８２６’に対応する位置に形成される。これは、前記第１のカーテンウォール８２０または第２のカーテンウォール８２０’が前記第１の移動ローラーアセンブリ８３０または第２の移動ローラーアセンブリ８３０’に対して回動する過程で、前記壁体Ｗ８、Ｗ８’と前記第１または第２のカーテンウォール８２０、８２０’間の干渉、または前記第１及び第２のカーテンウォール８２０、８２０’間の干渉を最小化するためである。
【０１４５】
また、前記ヒンジホール８２６、８２６’と連結孔８３６、８３６’を順に貫通する一対の連結ピン８２７が設けられる。前記連結ピン８２７は、前記ヒンジブラケット８２５、８２５’と連結ブラケット８３５、８３５’の両端部を選択的に連結する役目をする。このために、前記連結ピン８２７は、前記ヒンジホール８２６、８２６’と連結孔８３６、８３６’を上方から下方に順に貫通する。
【０１４６】
前記連結ピン８２７は、前記ヒンジホール８２６、８２６’と連結孔８３６、８３６’を順に貫通するピン本体８２７ａと、前記ピン本体８２７ａの上端に設けられ、前記連結孔８３６、８３６’の上端に係止されるピンヘッド８２７ｂとを備えて構成される。前記ピン本体８２７ａは、少なくとも前記ヒンジホール８２６、８２６’及び連結孔８３６、８３６’が形成される前記ヒンジブラケット８２５、８２５’と連結ブラケット８３５、８３５’の厚さの合計以上の長さと前記ヒンジホール８２６、８２６’及び連結孔８３６、８３６’の内径に比べて相対的に小さい外径を有するように形成されることが好ましい。また、前記ピンヘッド８２７ｂは、前記ヒンジホール８２６、８２６’及び連結孔８３６、８３６’の内径に比べて相対的に大きい外径を有するように形成される。
【０１４７】
前記連結ピン８２７は、前記ヒンジブラケット８２５、８２５’と連結ブラケット８３５、８３５’の両端部の両方または両端部のうちいずれか一端部の前記ヒンジホール８２６、８２６’と連結孔８３６、８３６’を選択的に貫通することができる。したがって、前記連結ピン８２７によって前記ヒンジブラケット８２５、８２５’と連結ブラケット８３５、８３５’の両端部の両方または両端部のうちいずれか一端部が選択的に連結される。言い換えれば、前記第１のカーテンウォール８２０または第２のカーテンウォール８２０’と前記第１の移動ローラーアセンブリ８３０または第２の移動ローラーアセンブリ８３０’が互いに固定または分離されるか、または前記第１の移動ローラーアセンブリ８３０または第２の移動ローラーアセンブリ８３０’に対して前記第１のカーテンウォール８２０または第２のカーテンウォール８２０’が回動可能に連結される。
【０１４８】
例えば、前記連結ピン８２７が前記ヒンジブラケット８２５、８２５’と連結ブラケット８３５、８３５’の両端部の前記ヒンジホール８２６、８２６’と連結孔８３６、８３６’をそれぞれ順に貫通し、ヒンジブラケット８２５、８２５’と連結ブラケット８３５、８３５’の両端部がすべて連結された状態では、前記第１のカーテンウォール８２０または第２のカーテンウォール８２０’と前記移動ローラーアセンブリ８３０、８３０’が互いに固定される。また、前記連結ピン８２７が前記ヒンジブラケット８２５、８２５’と連結ブラケット８３５、８３５’の両端部の前記ヒンジホール８２６、８２６’と連結孔８３６、８３６’をすべて貫通せず、ヒンジブラケット８２５、８２５’と連結ブラケット８３５、８３５’の両端部がすべて分離された状態では、前記第１のカーテンウォール８２０または第２のカーテンウォール８２０’と前記第１の移動ローラーアセンブリ８３０または第２の移動ローラーアセンブリ８３０’が互いに分離される。また、前記連結ピン８２７が前記ヒンジブラケット８２５、８２５’と連結ブラケット８３５、８３５’の両端部のうちいずれか一端部の前記ヒンジホール８２６、８２６’と連結孔８３６、８３６’を順に貫通し、ヒンジブラケット８２５、８２５’と連結ブラケット８３５、８３５’の一端部だけが連結された状態では、前記第１のカーテンウォール８２０または第２のカーテンウォール８２０’は、前記連結ピン８２７が貫通した前記ヒンジブラケット８２５、８２５’と連結ブラケット８３５、８３５’の両端部のうちいずれか一端部を中心にして前記第１の移動ローラーアセンブリ８３０または第２の移動ローラーアセンブリ８３０’に対して回動可能になる。
【０１４９】
また、前記第１及び第２のカーテンウォール８２０、８２０’の下端には、複数の支持ローラ４０、４０’がそれぞれ設けられる。前記支持ローラ４０、４０’は、前記第１及び第２のカーテンウォール８２０、８２０’を前記壁体Ｗ８、Ｗ８’の長さ方向に移動可能に支持する役目をする。前記支持ローラ４０、４０’の個数は、前記第１及び第２のカーテンウォール８２０、８２０’の長さによって決定される。
【０１５０】
一方、前記レール８０１、８０１’に沿って移動する前記移動ローラ８３４、８３４’を所定の位置に選択的に固定させるために複数の固定ピン８３８が設けられる。前記固定ピン８３８は、図１５に詳細に示されている。図示の実施例では、前記レール８０１、８０１’にそれぞれ一対の前記固定ピン８３８が設けられる。前記固定ピン８３８は、前記固定ホール８０４、８０４’及び貫通孔８３３、８３３’を選択的に貫通する。前記固定ホール８０４、８０４’と貫通孔８３３、８３３’を順に貫通した前記固定ピン８３８の先端は、前記固定溝８０６、８０６’に挿入される。また、前記固定ピン８３８は、前記移動ローラ８３４、８３４’の外周面にそれぞれ密着されることによって、移動ローラ８３４、８３４’が前記レール８０１、８０１’に沿って任意に移動しなくなる。
【０１５１】
図示してはいないが、前記第１または／及び第２のカーテンウォール８２０及び／または８２０’の一側には開口部が形成されることができる。前記開口部は、前記第１及び第２のカーテンウォール８２０、８２０’の長さ方向に直交する方向に形成される。また、前記第１及び第２のカーテンウォール８２０、８２０’には、前記開口部を選択的に開閉することができる別途の開閉手段を設けることもできる。
【０１５２】
以下、添付の図面を参照して本発明による空間仕切り装置の第８の実施例によって空間を仕切る過程を詳細に説明する。
図１８乃至図２１は、本発明の第８の実施例によって空間を仕切る過程を示す動作状態図である。
【０１５３】
まず、図１８に示されたように、壁体Ｗ８、Ｗ８’の間の空間をカーテンウォール全体で仕切る場合には、必要に応じて前記カーテンウォールを図示左右に移動させるようになる。この時、前記カーテンウォールアセンブリを構成する第１及び第２のカーテンウォール８２０、８２０’の長さ方向の他端部に設けられる第１及び第２の移動ローラーアセンブリ８３０、８３０’が前記壁体Ｗ８、Ｗ８’のレール８０１、８０１’に沿って移動する。
【０１５４】
また、この場合には、前記第１のカーテンウォール８２０と第２のカーテンウォール８２０’、また、前記第１のカーテンウォール８２０または第２のカーテンウォール８２０’と前記第１の移動ローラーアセンブリ８３０または第２の移動ローラーアセンブリ８３０’は互いに固定された状態になる。すなわち前記第１のカーテンウォール８２０の第１のヒンジプレート８２２と第２のカーテンウォール８２０’の第２のヒンジプレート８２２’は、ヒンジピン８２４によってその両端部がすべて連結された状態である。また、前記第１及び第２のカーテンウォール８２０、８２０’のヒンジブラケット８２５、８２５’と前記第１及び第２の移動ローラーアセンブリ８３０、８３０’の連結ブラケット８３５、８３５’は、連結ピン８２７によって両端部がすべて連結された状態である。したがって、前記カーテンウォールを押圧すれば、前記第１及び第２の移動ローラーアセンブリ８３０、８３０’が前記レール８０１、８０１’に沿ってそれぞれ移動しつつ、前記カーテンウォールが図示左右に移動する。
【０１５５】
一方、必要に応じて、前記壁体Ｗ８、Ｗ８’によって形成される空間を仕切ることなく使用することもできる。すなわち前記カーテンウォール全部または前記第１のカーテンウォール８２０または第２のカーテンウォール８２０’を使用しない場合が発生し得る。この場合には、図１９乃至図２１に示されたように、前記第１のカーテンウォール８２０と第２のカーテンウォール８２０’を回動させて、前記壁体Ｗ８、Ｗ８’の一面に密着させることができる。
【０１５６】
例えば、図１９に示されたように、前記第１のカーテンウォール８２０と第１の移動ローラーアセンブリ８３０の連結部を中心にして第１及び第２のカーテンウォール８２０、８２０’を回動させて、前記第１及び第２のカーテンウォール８２０、８２０’の一面が前記壁体Ｗ８、Ｗ８’のうちいずれか１つの一面に密着されるようにすることができる。この時、前記第１のカーテンウォール８２０と第２のカーテンウォール８２０’は、ヒンジピン８２４によって互いに固定された状態である。また、前記第１のカーテンウォール８２０のヒンジブラケット８２５と前記第１の移動ローラーアセンブリ８３０の連結ブラケット８３５の両端部のうち図示右側の端部だけが連結ピン８２７によって連結される。また、前記第２のカーテンウォール８２０’のヒンジブラケット８２５’と前記第２の移動ローラーアセンブリ８３０’の連結ブラケット８３５’は、互いに分離された状態である。また、前記第１の移動ローラーアセンブリ８３０の移動ローラ８３４は、固定ピン８３８によってその移動が制限された状態である。
【０１５７】
すなわち、このような状態で、前記第１のカーテンウォール８２０または第２のカーテンウォール８２０’（好ましくは、前記第２のカーテンウォール８２０’）を図示右側に押圧すれば、前記第１及び第２のカーテンウォール８２０、８２０’が図示反時計方向に回動する。前記第１及び第２のカーテンウォール８２０、８２０’が図示反時計方向に続いて回動すれば、前記第１及び第２のカーテンウォール８２０、８２０’の図示右側面が前記壁体Ｗ８、Ｗ８’のうち図示上方の壁体Ｗ８の一面に密着される。したがって、前記壁体Ｗ８、Ｗ８’によって形成される空間を前記カーテンウォールによって仕切ることなく使用することができるようになる。
【０１５８】
また、図２０に示されたように、前記第２のカーテンウォール８２０’と第２の移動ローラーアセンブリ８３０’の連結部を中心にして第１及び第２のカーテンウォール８２０、８２０’を図示時計方向に回動させて、前記第１及び第２のカーテンウォール８２０、８２０’の図示右側面が前記壁体Ｗ８、Ｗ８’のうち図示下方の壁体Ｗ８’の一面に密着されるようにすることができる。図２０に示された場合には、前記第１のカーテンウォール８２０と第２のカーテンウォール８２０’がヒンジピン８２４によって互いに固定された状態で、前記第１のカーテンウォール８２０のヒンジブラケット８２５と前記第１の移動ローラーアセンブリ８３０の連結ブラケット８３５は互いに分離される。また、前記第２のカーテンウォール８２０’のヒンジブラケット８２５’と前記第２の移動ローラーアセンブリ８３０’の連結ブラケット８３５’は、その両端部のうち図示上右側の端部だけが連結ピン８２７によって連結される。また、前記第２の移動ローラーアセンブリ８３０’の移動ローラ８３４’は、前記固定ピン８３８によってその移動が制限された状態である。
【０１５９】
一方、図２１に示されたように、前記第１のカーテンウォール８２０と第２のカーテンウォール８２０’をそれぞれに連結される前記第１の移動ローラーアセンブリ８３０または第２の移動ローラーアセンブリ８３０’を中心にして図示反時計または時計方向に回動させて、図示右側面が前記壁体Ｗ８、Ｗ８’のうちいずれか１つの一面にそれぞれ密着されるようにすることができる。このために、前記第１のカーテンウォール８２０と第２のカーテンウォール８２０’は互いに分離される。また、前記第１のカーテンウォール８２０のヒンジブラケット８２５と前記第１の移動ローラーアセンブリ８３０の連結ブラケット８３５、また、前記第２のカーテンウォール８２０’のヒンジブラケット８２５’と前記第２の移動ローラーアセンブリ８３０’の連結ブラケット８３５’は、それぞれの両端部のうち図示右側の端部だけがそれぞれ互いに連結される。この時、前記第１及び第２の移動ローラーアセンブリ８３０、８３０’は、前記固定ピン８３８によってそれぞれの移動が制限される。
【０１６０】
本発明の第８の実施例では、前記壁体の間に１つの前記カーテンウォールアセンブリが設けられるが、２個またはそれ以上のカーテンウォールアセンブリを前記壁体の間に設けることもできる。また、前記カーテンウォールアセンブリを構成する第１及び第２のカーテンウォールと移動ローラーアセンブリがそれぞれ固定または分離されるか、またはいずれか一方を中心にして他方が回動可能に連結された状態で前記壁体または前記カーテンウォールの長さ方向に移動または回動することによって、前記壁体の間に形成される空間のうち一部を別途の空間に仕切ることもできる。
【０１６１】
例えば、一対の前記カーテンウォールアセンブリを構成する第１のカーテンウォールがその一端部が対向する方向に前記第２のカーテンウォールに対してそれぞれ回動することによって、前記壁体のうちいずれか１つと一対の前記カーテンウォールアセンブリによって取り囲まれる長方形の空間を前記壁体の間に形成される空間から仕切ることができる。
また、図示してはいないが、本発明の第２乃至第８の実施例において前記カーテンウォールまたはカーテンウォールアセンブリを構成する第１または第２のカーテンウォールには開口部が形成されてもよい。前記開口部は、前記カーテンウォールまたはカーテンウォールアセンブリが空間を仕切った状態でユーザが出入りすることができる出入り口の役目をする。
【産業上の利用可能性】
【０１６２】
このように構成される本発明による空間仕切り装置によれば、次のような効果を期待することができる。
本発明によれば、カーテンウォールが互いに並んだ壁体の間に壁体に沿って移動または壁体に対して回動可能に設置される。したがって、前記カーテンウォールによって建築物の内部に設けられる空間を可変的に仕切ることができるので、建築物の空間を一層効率的に使用することができるようになる。
また、本発明では、前記カーテンウォールアセンブリが互いに固定または分離されるか、またはいずれか一方に対して他方が回動可能に連結される第１及び第２のカーテンウォールで構成される。また、前記第１及び第２のカーテンウォールと移動ローラーアセンブリも互いに固定または分離されるか、またはいずれか一方に対して他方が回動可能に連結される。したがって、必要に応じて、前記カーテンウォールのすべてまたは前記第１のカーテンウォールまたは第２のカーテンウォールを回動させて前記壁体に平行に密着させることによって、一層多様に建築物の内部空間を仕切ることができる。
【図面の簡単な説明】
【０１６３】
【図１】本発明による空間仕切り装置の第１の実施例を示す部分切欠斜視図である。
【図２】本発明による空間仕切り装置の第２の実施例を示す部分切欠斜視図である。
【図３】本発明による空間仕切り装置の第３の実施例の要部を示す分解斜視図である。
【図４】本発明の第３の実施例の要部を示す側断面図である。
【図５】本発明の第３の実施例の要部を示す側断面図である。
【図６】本発明による空間仕切り装置の第４の実施例の要部を示す分解斜視図である。
【図７】本発明による空間仕切り装置の第５の実施例を示す部分切欠斜視図である。
【図８】本発明による空間仕切り装置の第６の実施例を示す部分切欠斜視図である。
【図９】本発明による空間仕切り装置の第７の実施例を示す平面図である。
【図１０】本発明の第７の実施例によって空間を仕切る過程を示す動作状態図である。
【図１１】本発明の第７の実施例によって空間を仕切る過程を示す動作状態図である。
【図１２】本発明の第７の実施例によって空間を仕切る過程を示す動作状態図である。
【図１３】本発明の第７の実施例によって空間を仕切る過程を示す動作状態図である。
【図１４】本発明による空間仕切り装置の第８の実施例を示す部分切欠斜視図である。
【図１５】本発明の第８の実施例を構成する移動ローラーアセンブリがレールに設置された状態を示す側断面図である。
【図１６】本発明の第８の実施例を構成する第１及び第２のカーテンウォールの連結部を示す分解斜視図である。
【図１７】本発明の第８の実施例を構成する第１及び第２のカーテンウォールと移動ローラーアセンブリの連結部を示す分解斜視図である。
【図１８】本発明の第８の実施例によって空間を仕切る過程を示す動作状態図である。
【図１９】本発明の第８の実施例によって空間を仕切る過程を示す動作状態図である。
【図２０】本発明の第８の実施例によって空間を仕切る過程を示す動作状態図である。
【図２１】本発明の第８の実施例によって空間を仕切る過程を示す動作状態図である。
【図１】
2009523936.tif 000003
【図２】
2009523936.tif 000004
【図３】
2009523936.tif 000005
【図４】
2009523936.tif 000006
【図５】
2009523936.tif 000007
【図６】
2009523936.tif 000008
【図７】
2009523936.tif 000009
【図８】
2009523936.tif 000010
【図９】
2009523936.tif 000011
【図１０】
2009523936.tif 000012
【図１１】
2009523936.tif 000013
【図１２】
2009523936.tif 000014
【図１３】
2009523936.tif 000015
【図１４】
2009523936.tif 000016
【図１５】
2009523936.tif 000017
【図１６】
2009523936.tif 000018
【図１７】
2009523936.tif 000019
【図１８】
2009523936.tif 000020
【図１９】
2009523936.tif 000021
【図２０】
2009523936.tif 000022
【図２１】
2009523936.tif 000023
【国際調査報告】
2009523936.tif 000024
2009523936.tif 000025
2009523936.tif 000026